(57)【要約】本発明は、チャネル測定方法について説明し、それは、基地局によって、第１の制御情報をユーザ機器ＵＥに送信するステップであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、ステップと、基地局によって、測定基準信号をＵＥに送信するステップと、基地局によって、第２の制御情報をＵＥに送信するステップであって、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる、ステップとを含む。
2019537893.tif 000002
【特許請求の範囲】
【請求項１】
基地局によって、第１の制御情報をユーザ機器ＵＥに送信するステップであって、前記第１の制御情報は、キャリア上における前記ＵＥの測定基準信号を示すために使用され、前記第１の制御情報は、少なくとも１つの第１の測定構成セットを含み、前記少なくとも１つの第１の測定構成セットに基づいて、前記測定基準信号を測定するように、前記ＵＥに命令するために使用される、ステップと、
前記基地局によって、前記測定基準信号を前記ＵＥに送信するステップと、
前記基地局によって、第２の制御情報を前記ＵＥに送信するステップであって、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なる、ステップと
を含み、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
チャネル測定方法。
【請求項２】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項１に記載の方法。
【請求項３】
前記第２の制御情報は、第２の測定方式セットを含み、前記第２の測定方式セットは、前記第１の測定方式セットのサブセットである
請求項２に記載の方法。
【請求項４】
前記第１の測定方式セットは、以下の測定方式のうちの、すなわち、オープンループＭＩＭＯ送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む請求項２または３に記載の方法。
【請求項５】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項１乃至４のいずれか一項に記載の方法。
【請求項６】
前記第２の制御情報は、第２の測定タイプセットを含み、前記第２の測定タイプセットは、前記第１の測定タイプセットのサブセットである
請求項５に記載の方法。
【請求項７】
前記第２の制御情報は、第２の測定タイプセットを含み、前記第２の測定タイプセットは、前記測定結果のタイプを含み、前記第２の測定タイプセット内に存在する前記測定結果の少なくとも１つのタイプは、前記第１の測定タイプセット内に存在する前記測定結果の前記タイプに基づいて決定される
請求項５に記載の方法。
【請求項８】
前記第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列
のうちの１つまたは複数を含む請求項５乃至７のいずれか一項に記載の方法。
【請求項９】
前記第１の制御情報が少なくとも１つの第１の測定構成セットを含むことは、
前記第１の制御情報が、第１の測定粒度セットを含み、前記第１の測定粒度セットは、前記測定結果の粒度を含み、前記測定結果の前記粒度は、前記測定基準信号を測定することによって前記ＵＥによって獲得される測定結果の粒度であること
を含む請求項１乃至８のいずれか一項に記載の方法。
【請求項１０】
前記第２の制御情報は、第２の測定粒度セットを含み、前記第２の測定粒度セットは、前記第１の測定粒度セットのサブセットである
請求項９に記載の方法。
【請求項１１】
前記第１の制御情報は、ダウンリンク制御情報ＤＣＩ、もしくはマルチプルアクセス制御要素ＭＡＣ  ＣＥであり、および／または
前記第２の制御情報は、ダウンリンク制御情報ＤＣＩである
請求項１乃至１０のいずれか一項に記載の方法。
【請求項１２】
ユーザ機器ＵＥによって、基地局によって送信された第１の制御情報を受信するステップであって、前記第１の制御情報は、キャリア上における前記ＵＥの測定基準信号を示すために使用され、前記第１の制御情報は、少なくとも１つの第１の測定構成セットを含み、前記少なくとも１つの第１の測定構成セットに基づいて、前記測定基準信号を測定するように、前記ＵＥに命令するために使用される、ステップと、
前記ＵＥによって、前記基地局によって送信された前記測定基準信号を受信するステップと、
前記ユーザ機器ＵＥによって、前記基地局によって送信された第２の制御情報を受信するステップであって、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なる、ステップと
を含み、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
チャネル測定方法。
【請求項１３】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項１２に記載の方法。
【請求項１４】
前記第２の制御情報は、第２の測定方式セットを含み、前記第２の測定方式セットは、前記第１の測定方式セットのサブセットである
請求項１３に記載の方法。
【請求項１５】
前記第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む請求項１３または１４に記載の方法。
【請求項１６】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項１２乃至１５のいずれか一項に記載の方法。
【請求項１７】
前記第２の制御情報は、第２の測定タイプセットを含み、前記第２の測定タイプセットは、前記第１の測定タイプセットのサブセットである
請求項１６に記載の方法。
【請求項１８】
前記第２の制御情報は、第２の測定タイプセットを含み、前記第２の測定タイプセットは、前記測定結果のタイプを含み、前記第２の測定タイプセット内に存在する前記測定結果の少なくとも１つのタイプは、前記第１の測定タイプセット内に存在する前記測定結果の前記タイプに基づいて決定される
請求項１６に記載の方法。
【請求項１９】
前記第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータ、チャネル行列、チャネル固有ベクトル、およびチャネル空間相関行列
のうちの１つまたは複数を含む請求項１６乃至１８のいずれか一項に記載の方法。
【請求項２０】
前記第１の制御情報が少なくとも１つの第１の測定構成セットを含むことは、
前記第１の制御情報が、第１の測定粒度セットを含み、前記第１の測定粒度セットは、前記測定結果の粒度を含み、前記測定結果の前記粒度は、前記測定基準信号を測定することによって前記ＵＥによって獲得される測定結果の粒度であること
を含む請求項１２乃至１９のいずれか一項に記載の方法。
【請求項２１】
前記第２の制御情報は、第２の測定粒度セットを含み、前記第２の測定粒度セットは、前記第１の測定粒度セットのサブセットである
請求項２０に記載の方法。
【請求項２２】
前記第１の制御情報は、ダウンリンク制御情報ＤＣＩ、もしくはマルチプルアクセス制御要素ＭＡＣ  ＣＥであり、および／または
前記第２の制御情報は、ダウンリンク制御情報ＤＣＩである
請求項１２乃至２１のいずれか一項に記載の方法。
【請求項２３】
測定基準信号、第１の制御情報、および第２の制御情報を決定するように構成された、決定ユニットと、
前記第１の制御情報をユーザ機器ＵＥに送信するように構成された、送信ユニットであって、前記第１の制御情報は、キャリア上における前記ＵＥの前記測定基準信号を示すために使用され、前記第１の制御情報は、少なくとも１つの第１の測定構成セットを含み、前記少なくとも１つの第１の測定構成セットに基づいて、前記測定基準信号を測定するように、前記ＵＥに命令するために使用される、送信ユニットと
を備え、
前記送信ユニットは、前記測定基準信号を前記ＵＥに送信するようにさらに構成され、
前記送信ユニットは、前記第２の制御情報を前記ＵＥに送信するようにさらに構成され、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なり、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
基地局。
【請求項２４】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項２３に記載の基地局。
【請求項２５】
前記第２の制御情報は、第２の測定方式セットを含み、前記第２の測定方式セットは、前記第１の測定方式セットのサブセットである
請求項２４に記載の基地局。
【請求項２６】
前記第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む請求項２４または２５に記載の基地局。
【請求項２７】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項２３乃至２６のいずれか一項に記載の基地局。
【請求項２８】
前記第２の制御情報は、第２の測定タイプセットを含み、前記第２の測定タイプセットは、前記第１の測定タイプセットのサブセットである
請求項２７に記載の基地局。
【請求項２９】
前記第２の制御情報は、第２の測定タイプセットを含み、前記第２の測定タイプセットは、前記測定結果のタイプを含み、前記第２の測定タイプセット内に存在する前記測定結果の少なくとも１つのタイプは、前記第１の測定タイプセット内に存在する前記測定結果の前記タイプに基づいて決定される
請求項２７に記載の基地局。
【請求項３０】
前記第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータ、チャネル行列、チャネル固有ベクトル、およびチャネル空間共分散行列
のうちの１つまたは複数を含む請求項２７乃至２９のいずれか一項に記載の基地局。
【請求項３１】
前記第１の制御情報が少なくとも１つの第１の測定構成セットを含むことは、
前記第１の制御情報が、第１の測定粒度セットを含み、前記第１の測定粒度セットは、前記測定結果の粒度を含み、前記測定結果の前記粒度は、前記測定基準信号を測定することによって前記ＵＥによって獲得される測定結果の粒度であること
を含む請求項２３乃至３０のいずれか一項に記載の基地局。
【請求項３２】
前記第２の制御情報は、第２の測定粒度セットを含み、前記第２の測定粒度セットは、前記第１の測定粒度セットのサブセットである
請求項３１に記載の基地局。
【請求項３３】
前記第１の制御情報は、ダウンリンク制御情報ＤＣＩ、もしくはマルチプルアクセス制御要素ＭＡＣ  ＣＥであり、および／または
前記第２の制御情報は、ダウンリンク制御情報ＤＣＩである
請求項２３乃至３２のいずれか一項に記載の基地局。
【請求項３４】
基地局によって送信された第１の制御情報を受信するように構成された、受信ユニットであって、前記第１の制御情報は、キャリア上におけるユーザ機器ＵＥの測定基準信号を示すために使用され、前記第１の制御情報は、少なくとも１つの第１の測定構成セットを含む、受信ユニットと、
前記少なくとも１つの第１の測定構成セットに基づいて、前記測定基準信号を測定するように構成された、決定ユニットと
を備え、
前記受信ユニットは、前記基地局によって送信された前記測定基準信号を受信するようにさらに構成され、
前記受信ユニットは、前記基地局によって送信された第２の制御情報を受信するようにさらに構成され、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なり、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
ユーザ機器ＵＥ。
【請求項３５】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項３４に記載のユーザ機器。
【請求項３６】
前記第２の制御情報は、第２の測定方式セットを含み、前記第２の測定方式セットは、前記第１の測定方式セットのサブセットである
請求項３５に記載のユーザ機器。
【請求項３７】
前記第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む請求項３５または３６に記載のユーザ機器。
【請求項３８】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項３４乃至３７のいずれか一項に記載のユーザ機器。
【請求項３９】
前記第２の制御情報は、第２の測定タイプセットを含み、前記第２の測定タイプセットは、前記第１の測定タイプセットのサブセットである
請求項３８に記載のユーザ機器。
【請求項４０】
前記第２の制御情報は、第２の測定タイプセットを含み、前記第２の測定タイプセットは、前記測定結果のタイプを含み、前記第２の測定タイプセット内に存在する前記測定結果の少なくとも１つのタイプは、前記第１の測定タイプセット内に存在する前記測定結果の前記タイプに基づいて決定される
請求項３８に記載のユーザ機器。
【請求項４１】
前記第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列
のうちの１つまたは複数を含む請求項３８乃至４０のいずれか一項に記載のユーザ機器。
【請求項４２】
前記第１の制御情報が少なくとも１つの第１の測定構成セットを含むことは、
前記第１の制御情報が、第１の測定粒度セットを含み、前記第１の測定粒度セットは、前記測定結果の粒度を含み、前記測定結果の前記粒度は、前記測定基準信号を測定することによって前記ＵＥによって獲得される測定結果の粒度であること
を含む請求項３４乃至４１のいずれか一項に記載のユーザ機器。
【請求項４３】
前記第２の制御情報は、第２の測定粒度セットを含み、前記第２の測定粒度セットは、前記第１の測定粒度セットのサブセットである
請求項４２に記載の方法。
【請求項４４】
前記第１の制御情報は、ダウンリンク制御情報ＤＣＩ、もしくはマルチプルアクセス制御要素ＭＡＣ  ＣＥであり、および／または
前記第２の制御情報は、ダウンリンク制御情報ＤＣＩである
請求項３５乃至４３のいずれか一項に記載の方法。
【発明の詳細な説明】
【技術分野】
【０００１】
本出願は、通信技術の分野に関し、詳細には、基準信号測定方法および装置に関する。
【０００２】
本出願は、その全体が参照によって本明細書に組み込まれる、２０１６年１１月４日に中国特許庁に出願された、「ＲＥＦＥＲＥＮＣＥ  ＳＩＧＮＡＬ  ＭＥＡＳＵＲＥＭＥＮＴ  ＭＥＴＨＯＤ  ＡＮＤ  ＡＰＰＡＲＡＴＵＳ」と題する、中国特許出願第２０１６１０９７８４７９．５号に基づく優先権を主張する。
【背景技術】
【０００３】
基準信号ＲＳ（ｒｅｆｅｒｅｎｃｅ  ｓｉｇｎａｌ）は、「パイロット信号」である。従来の４Ｇネットワークにおいては、基地局は、通常、システム帯域幅の一部を特定のユーザ機器ＵＥ（ｕｓｅｒ  ｅｑｕｉｐｍｅｎｔ）に割り当てる。すなわち、基地局は、特定の時間内において、特定の周波数リソースをＵＥに割り当てる。このケースにおいては、特定の周波数リソースをＵＥに優先的に割り当て、ＵＥのサービス品質をより良く保証するために、基地局が、相対的に高い品質の特定の周波数リソースを知る必要がある場合、リソーススケジューリングの間に、基準信号が、基準を基地局に提供し得る。
【０００４】
先行技術においては、基準信号は、ＵＥが基準信号を受信するリソースをＵＥに通知するためのシグナリングを使用することによって構成される。しかしながら、ネットワーク正確性要件が増すにつれて、基準信号は、シグナリングの一部だけを使用することによって構成されるが、正確に制御されることができない。加えて、対応するチャネルパラメータおよび通信モードが変化し続けるとき、対応する基準信号品質測定は、複雑になる傾向にある。リアルタイムフィードバックに関して、５Ｇネットワークは、より高い正確性要件を有する。単一の構成シグナリングの一部を使用することによって基準信号を構成することは、融通がきかない。加えて、測定結果が後で報告されるとき、基地局は、冗長な結果、またはチャネル推定を実行するための他のパラメータ情報をもはや必要としていないことがあり、それによって、チャネルリソースの浪費を引き起こす。
【発明の概要】
【０００５】
本発明は、貧弱なフィードバックリアルタイム品質および低いフィードバック正確性という問題を解決するための、基準信号測定方法および装置を提供する。
【０００６】
第１の態様に従うと、本発明の実施形態は、基地局によって、第１の制御情報をユーザ機器ＵＥに送信するステップであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、ステップと、基地局によって、測定基準信号をＵＥに送信するステップと、基地局によって、第２の制御情報をＵＥに送信するステップであって、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる、ステップとを含み、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、チャネル測定方法を提供する。
【０００７】
第１の態様の第１の可能な実装においては、第１の制御情報が少なくとも１つの第１の測定構成セットを含むことは、第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であることを含む。
【０００８】
第１の態様の第１の可能な実装を参照すると、第２の可能な実装においては、第２の制御情報は、第２の測定方式セットを含み、第２の測定方式セットは、第１の測定方式セットのサブセットである。
【０００９】
第１の態様の第１の可能な実装および第２の可能な実装のうちのどちらかを参照すると、第３の可能な実装においては、第１の測定方式セットは、以下の測定方式のうちの、すなわち、オープンループ多入力多出力ＭＩＭＯ（ｍｕｌｔｉｐｌｅ−ｉｎｐｕｔ  ｍｕｌｔｉｐｌｅ−ｏｕｔｐｕｔ）送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００１０】
第１の態様または第１の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００１１】
第１の態様の第４の可能な実装を参照すると、第５の可能な実装においては、第２の制御情報は、第２の測定タイプセットを含み、第２の測定タイプセットは、第１の測定タイプセットのサブセットである。
【００１２】
第１の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００１３】
第１の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ（ｐｒｅｃｏｄｉｎｇ  ｍａｔｒｉｘ  ｉｎｄｉｃａｔｉｏｎ）、チャネル品質インジケータＣＱＩ（ｃｈａｎｎｅｌ  ｑｕａｌｉｔｙ  ｉｎｄｉｃａｔｏｒ）、ランクインジケーションＲＩ（ｒａｎｋ  ｉｎｄｉｃａｔｉｏｎ）、ビームインジケータＣＲＩ（ｃｈａｎｎｅｌ  ｓｔａｔｅ  ｉｎｆｏｒｍａｔｉｏｎ  ＲＳ  ｒｅｓｏｕｒｃｅ  ｉｎｄｉｃａｔｏｒ）、チャネル行列、チャネル固有ベクトル、およびチャネル空間共分散行列
のうちの１つまたは複数を含む。
【００１４】
第１の態様または第１の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００１５】
第１の態様の第８の可能な実装を参照すると、第９の可能な実装においては、第２の制御情報は、第２の測定粒度セットを含み、第２の測定粒度セットは、第１の測定粒度セットのサブセットである。
【００１６】
第１の態様または第１の態様の第１乃至第９の可能な実装のうちのいずれか１つを参照すると、第１０の可能な実装においては、第１の制御情報は、ダウンリンク制御情報ＤＣＩ（ｄｏｗｎｌｉｎｋ  ｃｏｎｔｒｏｌ  ｉｎｆｏｒｍａｔｉｏｎ）、もしくはマルチプルアクセス制御要素ＭＡＣ  ＣＥ（Ｍｅｄｉａ  Ａｃｃｅｓｓ  Ｃｏｎｔｒｏｌ  ｃｏｎｔｒｏｌ  ｅｌｅｍｅｎｔ）であり、および／または第２の制御情報は、ダウンリンク制御情報ＤＣＩである。
【００１７】
第２の態様に従うと、本発明の実施形態は、
ユーザ機器ＵＥによって、基地局によって送信された第１の制御情報を受信するステップであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、ステップと、ＵＥによって、基地局によって送信された測定基準信号を受信するステップと、ユーザ機器ＵＥによって、基地局によって送信された第２の制御情報を受信するステップであって、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる、ステップとを含み、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、
チャネル測定方法を提供する。
【００１８】
第２の態様の第１の可能な実装においては、第１の制御情報が少なくとも１つの第１の測定構成セットを含むことは、
第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であること
を含む。
【００１９】
第２の態様の第１の可能な実装を参照すると、第２の可能な実装においては、第２の制御情報は、第２の測定方式セットを含み、第２の測定方式セットは、第１の測定方式セットのサブセットである。
【００２０】
第２の態様の第１の可能な実装および第２の可能な実装のうちのどちらかを参照すると、第３の可能な実装においては、第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００２１】
第２の態様または第２の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００２２】
第２の態様の第４の可能な実装を参照すると、第５の可能な実装においては、第２の制御情報は、第２の測定タイプセットを含み、第２の測定タイプセットは、第１の測定タイプセットのサブセットである。
【００２３】
第２の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００２４】
第２の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間相関行列
のうちの１つまたは複数を含む。
【００２５】
第２の態様または第２の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００２６】
第２の態様の第８の可能な実装を参照すると、第９の可能な実装においては、第２の制御情報は、第２の測定粒度セットを含み、第２の測定粒度セットは、第１の測定粒度セットのサブセットである。
【００２７】
第２の態様または第２の態様の第１乃至第９の可能な実装のうちのいずれか１つを参照すると、第１０の可能な実装においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００２８】
第３の態様に従うと、本発明の実施形態は、測定基準信号、第１の制御情報、および第２の制御情報を決定するように構成された決定ユニットと、第１の制御情報をユーザ機器ＵＥに送信するように構成された送信ユニットであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、送信ユニットとを含み、送信ユニットは、測定基準信号をＵＥに送信するようにさらに構成され、送信ユニットは、第２の制御情報をＵＥに送信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、基地局を提供する。
【００２９】
第３の態様の第１の可能な実装においては、第１の制御情報が少なくとも１つの第１の測定構成セットを含むことは、第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であることを含む。
【００３０】
第３の態様の第１の可能な実装を参照すると、第２の可能な実装においては、第２の制御情報は、第２の測定方式セットを含み、第２の測定方式セットは、第１の測定方式セットのサブセットである。
【００３１】
第３の態様の第１の可能な実装および第２の可能な実装のうちのどちらかを参照すると、第３の可能な実装においては、第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００３２】
第３の態様または第３の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００３３】
第３の態様の第４の可能な実装を参照すると、第５の可能な実装においては、第２の制御情報は、第２の測定タイプセットを含み、第２の測定タイプセットは、第１の測定タイプセットのサブセットである。
【００３４】
第３の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００３５】
第３の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列
のうちの１つまたは複数を含む。
【００３６】
第３の態様または第３の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００３７】
第３の態様の第８の可能な実装を参照すると、第９の可能な実装においては、第２の制御情報は、第２の測定粒度セットを含み、第２の測定粒度セットは、第１の測定粒度セットのサブセットである。
【００３８】
第３の態様または第３の態様の第１乃至第９の可能な実装のうちのいずれか１つを参照すると、第１０の可能な実装においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００３９】
第４の態様に従うと、本発明の実施形態は、基地局によって送信された第１の制御情報を受信するように構成された、受信ユニットであって、第１の制御情報は、キャリア上におけるＵＥの測定基準信号を示すために使用され、第１の制御情報は、少なくとも１つの第１の測定構成セットを含む、受信ユニットと、少なくとも１つの第１の測定構成セットに基づいて、測定基準信号を測定するように構成された、決定ユニットとを含み、受信ユニットは、基地局によって送信された測定基準信号を受信するようにさらに構成され、受信ユニットは、基地局によって送信された第２の制御情報を受信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、ユーザ機器ＵＥを提供する。
【００４０】
第４の態様の第１の可能な実装においては、第１の制御情報が少なくとも１つの第１の測定構成セットを含むことは、第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であることを含む。
【００４１】
第４の態様の第１の可能な実装を参照すると、第２の可能な実装においては、第２の制御情報は、第２の測定方式セットを含み、第２の測定方式セットは、第１の測定方式セットのサブセットである。
【００４２】
第４の態様の第１の可能な実装および第２の可能な実装のうちのどちらかを参照すると、第３の可能な実装においては、第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００４３】
第４の態様または第４の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００４４】
第４の態様の第４の可能な実装を参照すると、第５の可能な実装においては、第２の制御情報は、第２の測定タイプセットを含み、第２の測定タイプセットは、第１の測定タイプセットのサブセットである。
【００４５】
第４の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００４６】
第４の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列
のうちの１つまたは複数を含む。
【００４７】
第４の態様または第４の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００４８】
第４の態様の第８の可能な実装を参照すると、第９の可能な実装においては、第２の制御情報は、第２の測定粒度セットを含み、第２の測定粒度セットは、第１の測定粒度セットのサブセットである。
【００４９】
第４の態様または第４の態様の第１乃至第９の可能な実装のうちのいずれか１つを参照すると、第１０の可能な実装においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００５０】
上述の方法に従うと、第１の制御情報をＵＥに送信した後、基地局デバイスは、第１の制御情報に基づいて、基準信号を測定するように、ＵＥに命令し、次に、第２の制御情報をＵＥに送信して、測定結果を報告するように、ＵＥに命令する。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。
【図面の簡単な説明】
【００５１】
【図１】本発明の実施形態に従った、可能な応用例シナリオの概略アーキテクチャ図である。
【図２】本発明の実施形態に従った、情報フィールドの概略図である。
【図３】本発明の実施形態に従った、基準信号送信方法の概略フローチャートである。
【図４】本発明の実施形態に従った、基準信号送信方法の概略フローチャートである。
【図５】本発明の実施形態に従った、基地局デバイスの概略装置図である。
【図６】本発明の実施形態に従った、ユーザ機器の概略装置図である。
【図７】本発明の実施形態に従った、基地局デバイスの概略装置図である。
【図８】本発明の実施形態に従った、ユーザ機器の概略装置図である。
【発明を実施するための形態】
【００５２】
本発明の目的、技術的ソリューション、および利点をより明瞭にするために、以下では、添付の図面を参照して、本発明の実施形態の技術的ソリューションについて説明する。
【００５３】
基地局は、第１の制御情報をユーザ機器ＵＥに送信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。基地局は、測定基準信号をＵＥに送信する。基地局は、第２の制御情報をＵＥに送信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。上述の方法に従うと、第１の制御情報をＵＥに送信した後、基地局デバイスは、第１の制御情報に基づいて、基準信号を測定するように、ＵＥに命令し、次に、第２の制御情報をＵＥに送信して、測定結果を報告するように、ＵＥに命令する。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、測定結果を報告するためにＵＥによって使用されるチャネルリソースを、別のパラメータに基づいて決定するために、さらに使用されてよい。
【００５４】
図１は、本発明の実施形態に従った、可能な応用例シナリオおよび対応する方法を示している。基地局デバイス１０１とユーザ機器ＵＥ１０２との間のリンク１０３は、相互接続およびインターワーキングを実装するために、エアインターフェースを通して形成する。図１に示されるリンク１０３は、リンクの例を表すにすぎないことが理解されるべきである。ＵＥとデータを交換するのに加えて、基地局は、ＵＥのリソースおよび構成を制御するように構成される。いくつかのケースにおいては、ＵＥは、制御機能を実装してもまたよく、ＵＥと基地局は、互いにネゴシエートすることが理解されるべきである。
【００５５】
基地局は、第１の制御情報をユーザ機器ＵＥに送信するように構成され、第１の制御情報は、キャリア上におけるＵＥの測定基準信号を示すために使用される。第１の制御情報は、少なくとも１つの第１の測定構成セットを含み、少なくとも１つの第１の測定構成セットに基づいて、測定基準信号を測定するように、ＵＥに命令するために使用される。
【００５６】
実施形態においては、第１の制御情報は、ＲＲＣまたは他の制御シグナリングであってよい。別の実施形態においては、第１の制御情報は、ダウンリンク制御情報ＤＣＩ、またはマルチプルアクセス制御要素ＭＡＣ  ＣＥであってよい。ＤＣＩまたはマルチプルアクセス制御要素ＭＡＣ  ＣＥを使用する利点は、構成が柔軟であり、応答待ち時間が短いことである。第１の測定構成セットは、ＵＥによって測定基準信号を測定するための構成を示すために使用される。本明細書においては、ＵＥが測定基準信号を測定する測定量および方式を示すために使用される、１つまたは複数の構成が存在してよいことが理解されるべきである。
【００５７】
第１の制御情報は、ＵＥが別の基準信号を測定した後に報告される結果に基づいて決定され得る。例えば、ＵＥは、別の基準信号を測定すること、またはページングメッセージを受信することによって、フィードバック情報を報告し得る。基地局が、ＵＥのチャネル品質を決定した場合、基地局は、第１の制御情報に含まれる測定構成セット、および各測定構成セットの特定の測定構成を決定し得る。例えば、基地局が、第１の制御情報を決定する前に、ＵＥが低速運動状態にあり、相対的に高いＣＱＩ値を有することを、別の測定処理からのいくつかのサブフレームまたはスロットで、学んだとき、基地局は、測定構成セットが、少なくとも測定方式セットを含み、測定方式セットは、少なくともクローズドループＭＩＭＯ測定方式を含むと決定し得る。別の実施形態においては、第１の制御情報は、別の構成に基づいてさらに決定され得る。例えば、セル再選択の後、第１の制御情報は、履歴情報に基づいて決定され得、その場合、近隣基地局または近隣制御ノードによって送信されたメッセージに対する測定が、補足のために実行される。代替として、第１の制御情報は、初期構成に基づいて決定され得る。
【００５８】
基地局は、測定基準信号をＵＥに送信する。基地局は、第２の制御情報をＵＥに送信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。
【００５９】
以下では、特に、第１の測定構成セットおよび第２の測定構成セットについて詳細に説明する。
【００６０】
１つまたは複数の第１の測定構成セットおよび／または第２の測定構成セットが、存在し得る。測定処理における異なるパラメータ項目、測定方式項目、および測定粒度項目、または測定処理における基地局によってＵＥに示されることが必要な他の構成項目は、異なるセットで構成され得る。第１の測定セットおよび第２の測定セットは、上記の特定のセットに限定されるべきではない。
【００６１】
実施形態においては、構成セットは、第１の測定方式セットを含み、第１の測定方式セットは、測定基準信号を測定する少なくとも１つの方式を含み、測定基準信号を測定する方式は、ＵＥが測定基準信号を測定する方式である。測定基準信号を測定する方式は、限定されることなく、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定を含み得る。基地局は、例えば、上述の実施形態において説明されたような、いくつかの事前情報に基づいて、ＵＥの測定方式セットを決定し得、基地局は、ＵＥまたは別のＵＥによって報告された測定結果に基づいて、ＵＥの測定方式セットを、以前のいくつかのサブフレームまたはスロットで、決定し得、ＵＥの決定された測定方式セットに基づいて、測定セットを決定し得る。例えば、基地局は、別の測定基準信号を測定することによってＵＥによって獲得された測定結果に基づいて、ＵＥのチャネル品質を決定する。基地局が、測定結果が事前設定された条件または閾値を満たすと、例えば、ＣＱＩが相対的に高いと決定した場合、基地局は、測定方式セットが、クローズドループＭＩＭＯ送信方式、オープンループＭＩＭＯ送信方式、およびまたは半オープンループＭＩＭＯ送信方式を含むと決定する。基地局は、ＵＥが、オープンループＭＩＭＯ送信方法での測定、半オープンループＭＩＭＯ送信方法での測定、およびクローズドループＭＩＭＯ送信方式に基づいて、基準信号を別々に測定することができるように、第１の制御情報を使用することによって、決定された測定方式セットをＵＥに送信する。これの利点は、以下の通りである。ＵＥが、基準信号に対して複数のタイプの測定を実行することができ、チャネル品質の可能な変化に柔軟に応答することができるように、複数の測定方式が構成される。したがって、測定結果を報告するようにＵＥを促したとき、基地局は、最新のチャネル品質に基づいて、対応する測定方式の測定結果を報告するように、ＵＥに命令することができ、ＵＥのその後のデータ送信にとって最も適切な送信ソリューションを構成することができ、それによって、データ送信効率を改善する。本発明の実施形態においては、第１の制御情報を受信した後、ＵＥは、第１の制御情報に基づいて、測定方式を決定し得ることが理解されるべきである。しかしながら、ＵＥは、実際の状況およびＵＥの能力に基づいて、実際の測定方式をさらに決定し得る。本発明の実施形態においては、基地局は、デフォルトオプションに基づいて、測定方式セットを構成し得、または完全に動的に測定方式セットを構成し得ることが理解されるべきである。
【００６２】
別の実施形態においては、第１の制御情報は、第１の測定タイプセットを含み、第１の測定タイプセットは、測定結果のタイプを含み、測定結果のタイプは、測定基準信号を測定することによってＵＥによって獲得される測定結果のタイプである。本明細書における測定結果のタイプは、ＵＥによって測定される必要がある結果タイプまたはカテゴリ、例えば、プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列である。上述の測定方式セットと同様に、実施形態においては、基地局は、いくかの事前情報に基づいて、ＵＥによって測定される必要があり得る測定結果タイプを決定し得る。例えば、基地局は、測定タイプセットを決定するためにＵＥまたは別のＵＥによって報告された測定結果に基づいて、測定結果タイプを、先行するいくつかのサブフレームまたはスロットで、決定し得る。例えば、基地局が、ＵＥが別の測定基準信号を測定するために使用された報告量に基づいて、ＵＥのチャネル品質が相対的に高い、例えば、ＣＱＩが相対的に高いことを学んだ場合、基地局は、第１の測定タイプセットが、ＣＱＩ、ＰＭＩ、ＲＩ、およびチャネル空間共分散行列を含むと決定する。このケースにおいては、基地局は、第１の測定タイプセットが、｛ＰＭＩ，ＲＩ，ＣＱＩ，チャネル空間共分散行列｝であると決定する。これの利点は、以下の通りである。ＵＥが、基準信号に対して複数のタイプの測定を実行することができ、チャネル品質の可能な変化に柔軟に応答することができるように、複数の測定タイプが構成される。したがって、測定結果を報告するようにＵＥを促したとき、基地局は、最新のチャネル品質に基づいて、対応する測定方式の測定結果を報告するように、ＵＥに命令することができ、それによって、測定結果を報告する柔軟性を改善し、ＵＥのその後のデータ送信の品質および効率を改善する。別の実施形態においては、基地局は、デフォルト値に基づいて、第１の測定タイプセットを完全に構成しても、または完全に動的に第１の測定タイプセットを構成してもまたよい。
【００６３】
さらに別の実施形態においては、第１の制御情報は、第１の測定粒度セットを含み、第１の測定粒度セットは、測定結果の粒度を含み、測定結果の粒度は、測定基準信号を測定することによってＵＥによって獲得される測定結果の粒度である。可能な実装においては、第１の測定粒度セットは、以下の測定粒度のうちの、すなわち、チャネル測定パラメータのワイドバンドフィードバック、チャネル測定パラメータのサブバンドフィードバック、最適なチャネル測定パラメータを有するＭ個のサブバンドのフィードバック、および最適なチャネル測定パラメータを有するＮ個のビームに対応するチャネル状態情報ＣＳＩ（ｃｈａｎｎｅｌ  ｓｔａｔｅ  ｉｎｆｏｒｍａｔｉｏｎ）フィードバックのうちの少なくとも１つを含み、ここで、ＭおよびＮは、正の整数である。最適なチャネル測定パラメータを有するＭ個のサブバンドのフィードバックは、いくつかのサブバンドのチャネル測定パラメータの測定中における、最適な測定パラメータを有するＭ個のサブバンドのチャネルパラメータであってよく、最適なチャネル測定パラメータを有するＮ個のビームに対応するＣＳＩフィードバックは、最適な測定パラメータを有するＮ個のビームに対応するＣＳＩであってよい。第１の測定粒度セットおよび第１の測定タイプセットの両方は、ＵＥの測定粒度に対応する測定結果タイプを示し得ることが理解されるべきである。例えば、第１の測定タイプセットは、チャネル品質インジケータＣＱＩ、およびチャネル固有ベクトルｖを含み、第１の測定粒度セットは、ワイドバンドフィードバック、最も高いＣＱＩを有するＭ個のサブバンドのフィードバック、および対応するサブバンドのインデックスを含む。このケースにおいては、ＵＥは、ワイドバンドＣＱＩ、およびチャネル固有ベクトルｖを測定し、最も高いＣＱＩを有するＭ個のサブバンドのＣＱＩ、および対応するサブバンドのチャネル固有ベクトルｖを測定する。第１の測定粒度セットは、ＵＥの対応する測定結果タイプを示す方式で、第１の測定タイプセットと組み合わされ得る。例えば、第１の測定タイプセットは、チャネル品質インジケータＣＱＩ、およびチャネル固有ベクトルｖを含み、チャネル品質インジケータＣＱＩに対応する第１の測定粒度セットは、ワイドバンドフィードバック、および最も高いＣＱＩを有するＭ個のサブバンドのフィードバックを含む。第１の測定粒度セットが、最も高いＣＱＩを有するＭ個のサブバンドのフィードバックを含むとき、対応するサブバンドのインデックスが、さらにフィードバックされてよい。チャネル固有ベクトルｖに対応する第１の測定粒度セットが、最も高いＣＱＩを有するＭ個のサブバンドのフィードバック、および対応するサブバンドのインデックスを含むとき、ＵＥは、ワイドバンドＣＱＩ、サブバンドＣＱＩ、最も高いＣＱＩを有するＭ個のサブバンドのチャネル固有ベクトルｖ、および対応するサブバンドのインデックスを測定する。別の実施形態においては、代替として、第１の測定方式セット、第１の測定タイプセット、および第１の測定粒度セットのすべて、または３つのセットの組み合わせが、少なくとも１つの第１の測定構成セットに基づいて、測定基準信号を測定するように、ＵＥに命��するために、第１の制御情報に含まれてよい。実施形態においては、最適なチャネル測定パラメータを有するＭ個のサブバンドのチャネルパラメータが、フィードバックされ、その後、最適な測定パラメータを有するＭ個のサブバンドのチャネルパラメータに対応するサブバンドが、さらにフィードバックされてよい。特定の実装においては、最適な測定パラメータを有するＭ個のサブバンドのうちのサブバンドのインデックスが、フィードバックされてよい。最適な測定パラメータを有するＮ個のビームに対応するＣＳＩが、フィードバックされ、その後、最適な測定パラメータを有するＮ個のビームのビームインジケータＣＲＩが、さらにフィードバックされてよい。図１を参照すると、第１の制御情報の可能な形式が、図２に示される実施形態に示されている。第１の制御情報は、Ｋ個のフィールドを含み得、各フィールドは、測定構成セットを示すために使用される。図２においては、Ｋの値は、１０であり得る。例えば、第１の測定方式セットを示すために、フィールドＡが使用される。フィールドＡにおいては、「００１０」は、第１の測定方式セットが、クローズドループＭＩＭＯ送信方法での測定、および送信ダイバーシティ送信方法での測定を含み、クローズドループＭＩＭＯ送信方法での測定、および送信ダイバーシティ送信方法での測定に基づいて、測定基準信号を測定するように、ＵＥに命令するために使用されることを示す。第１の測定タイプセットを示すために、フィールドＢが使用される。フィールドＢにおいては、「１０００」は、第１の測定タイプセットが、ＰＭＩ、ＣＱＩ、およびＲＩを含み、ＰＭＩ、ＣＱＩ、およびＲＩパラメータを測定および決定するように、ＵＥに命令するために使用されることを示す。第１の測定粒度セットを示すために、フィールドＣが使用され、「１１」は、第１の測定粒度セットが、最適なチャネル測定パラメータを有するＭ個のサブバンドのフィードバック、および最適なチャネル測定パラメータを有するＮ個のビームに対応するＣＳＩのフィードバックを含み、最適なチャネル測定パラメータを有するＭ個のサブバンド、および最適なチャネル測定パラメータを有するＮ個のビームに対応するＣＳＩを決定するように、ＵＥに命令するために使用されることを示す。特定の実装においては、代替として、ＭおよびＮの値は、第１の制御情報を使用することによって、送信されてよく、またはＭの値および／もしくはＮの値は、初期化中に事前定義され、もしくはネゴシエーションを通して、もしくは別のデバイスの構成を使用することによって決定される。別の実施形態においては、第１の制御情報に含まれる測定構成セットのタイプが決定されたとき、２つ以上の測定構成セットに含まれる要素の組み合わせは、ジョイント符号化を通して、第１の制御情報内の固定されたビットを使用することによって示されてもまたよい。例えば、「１００１０」は、第１の制御情報に含まれる第１の測定方式セットおよび第１の測定タイプセットに直接対応しており、第１の測定方式セットは、クローズドループＭＩＭＯ送信方法での測定、および送信ダイバーシティ送信方法での測定を含み、第１の測定タイプセットは、ＰＭＩ、およびＣＱＩを含む。これの利��は、ビットリソースが節約されることができ、構成効率が改善されることができることである。
【００６４】
別の実施形態においては、第２の制御情報は、ダウンリンク制御情報ＤＣＩ、またはマルチプルアクセス制御要素ＭＡＣ  ＣＥである。ＤＣＩまたはＭＡＣ  ＣＥを使用する利点は、構成が柔軟であり、応答待ち時間が短いことである。本明細書においては、１つまたは複数の第２の測定構成セットが存在し得、それらは、ＵＥが測定基準信号を測定する測定量および方式を示すために使用される。
【００６５】
第１の制御情報と同様に、ＵＥが別の基準信号を測定した後に報告される結果に基づいて、第２の制御情報が決定され得る。例えば、ＵＥは、別の基準信号を測定すること、またはページングメッセージを受信することによって、フィードバック情報を報告し得る。基地局が、ＵＥが動いている、またはチャネル品質が変化したと決定した場合、基地局は、第１の制御情報に含まれる測定構成セットに基づいて、第２の制御情報に含まれる測定構成セット、および各測定構成セットの特定の測定構成を決定し得る。例えば、基地局が、第２の制御情報を決定する前の別の測定処理において、いくつかのサブフレームまたはスロットで、ＵＥのＣＱＩを獲得したとき、基地局は、測定構成セットが、少なくとも測定方式セットを含み、測定方式セットは、少なくともクローズドループＭＩＭＯ送信方式を含むと決定し得る。別の実施形態においては、第２の制御情報は、別の構成に基づいてさらに決定されてよい。例えば、セル再選択の後、第２の制御情報は、履歴情報に基づいて決定されてよく、近隣基地局または近隣制御ノードによって送信されたメッセージを使用することによって補足される。代替として、第２の制御情報は、初期構成に基づいて決定されてよい。別の実施形態においては、第１の制御情報に基づいて時間期間を決定するために、第２の制御情報が使用されてよく、第２の制御情報は、時間期間内のＵＥのセル内移動もしくはセル間移動、または別の測定結果、もしくはＵＥによって報告されるページングメッセージだけに基づいて決定される。本明細書における別の測定結果は、測定基準信号以外の基準信号に基づいた測定を通して、ＵＥによって獲得される結果であってよい。第２の制御情報は、測定結果を報告するためにＵＥによって使用されるチャネルリソースをさらに示す。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、別のパラメータに基づいて、測定結果を報告するためにＵＥによって使用されるチャネルリソースを決定するために、さらに使用されてよいことが理解されるべきである。
【００６６】
実施形態においては、第１の制御情報が、第１の測定方式セットを含むとき、第２の制御情報は、第２の測定方式セットを含み得、第２の測定方式セットは、第１の測定方式セットのサブセットである。例えば、第１の制御情報は、オープンループＭＩＭＯ送信方法での測定、およびクローズドループＭＩＭＯ送信方法での測定を含む。第１の制御情報を送信した後、基地局は、別のＵＥによって報告された測定結果、または別の測定基準信号に基づいてＵＥによって報告された測定結果に基づいて、ＵＥが高速運動状態にあると決定する。このケースにおいては、基地局は、ＵＥは、クローズドループＭＩＭＯ送信方法で、測定の結果を報告する必要がなく、第２の測定方式セットは、クローズドループＭＩＭＯ送信方法での測定を含まないと決定する。
【００６７】
別の実施形態においては、第２の制御情報は、第２の測定タイプセットを含み、第２の測定タイプセットは、第１の測定タイプセットのサブセットである。
【００６８】
別の実施形態においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。第２の制御情報に含まれる第２の測定タイプセットは、第１の測定タイプセット内に存在しない項目を含んでよく、第１の測定タイプセット内に存在しない項目は、第１のタイプセット内の項目に基づいた計算を通して決定され得る。例えば、第１の測定タイプセットは、チャネル品質パラメータＳ、およびチャネルノイズパラメータＮを含み、チャネル品質パラメータＳおよびチャネルノイズパラメータＮを決定するために、測定基準信号を測定するように、ＵＥに命令するために使用される。第２の測定タイプセットは、信号対雑音比ＳＮＲパラメータを含んでよく、ＳＮＲは、ＳおよびＮに基づいた計算を通して決定され得る。別の例として、第１の測定タイプセットは、チャネル空間共分散行列を含み、ＵＥのチャネル空間共分散行列を決定するために、測定基準信号を測定するように、ＵＥに命令するために使用される。第２の測定タイプセットは、ＲＩおよびＰＭＩを含み、ＲＩおよびＰＭＩは、チャネル空間共分散行列に基づいた計算を通して決定され得る。本発明の実施形態においては、第１の測定方式セットと第２の測定方式セット、および第１の測定粒度セットと第２の測定粒度セットも、そのような関係を有してもまたよいことが理解されるべきである。
【００６９】
別の実施形態においては、第２の制御情報は、第２の測定粒度セットを含み、第２の測定粒度セットは、第１の測定粒度セットとは異なる。例えば、第１の測定粒度セットは、最も高いＣＱＩを有するＭ１個のサブバンドのフィールドを含み、第２の測定粒度セットは、最も高いＣＱＩを有するＭ２個のサブバンドのフィールドを含み、ここで、Ｍ２は、Ｍ１よりも小さい。別の例として、第２の測定粒度セットは、第１の測定粒度セットのサブセットである。同様に、第１の測定粒度セットは、最も高い受信エネルギーＲＳＲＰ（ｒｅｆｅｒｅｎｃｅ  ｓｉｇｎａｌ  ｒｅｃｅｉｖｅｄ  ｐｏｗｅｒ）を有するＮ１個のビームに対応するＣＳＩを含み、第２の測定粒度セットは、最も高いＲＳＲＰを有するＮ２個のビームに対応するＣＳＩフィードバックを含み、ここで、Ｎ２は、Ｎ１よりも小さい。
【００７０】
本発明においては、第１の制御情報は、上述のいくつかのセットを含むばかりでなく、第１の測定制約セットも含んでよいことが理解されるべきである。セットは、時間領域平均測定、周波数領域平均測定、空間領域（ビーム）平均測定、時間領域非平均測定、周波数領域非平均測定、空間領域非平均測定のうちの１つまたは複数を含んでよい。第２の制御情報は、第１の測定制約セットのサブセットである第２の測定制約セットを含んでよい。加えて、実施形態においては、第１の制御情報内の要素は、新しい第１の測定構成セットを形成するために、実際の要件に基づいて、組み合わされても、分割されてもまたよく、第２の測定構成セットは、第１の測定構成セットのサブセットである。例えば、第１の測定構成セットは、｛オープンループＭＩＭＯ送信方法での測定，半オープンループＭＩＭＯ送信方法での測定，ＰＭＩ，ＣＱＩ｝であってよく、第２の測定構成セットは、第１の測定構成セットのサブセット｛半オープンループＭＩＭＯ送信方法での測定，ＰＭＩ｝である。
【００７１】
さらに別の実施形態においては、第２の制御情報は、測定を停止するように、または測定を継続するように、ＵＥに命令するために使用される、測定インジケーションをさらに含む。測定インジケーションは、測定基準信号を測定することを停止するように、ＵＥに明示的または暗黙的に命令するために使用され得る。例えば、第２の制御情報は、開始フィールドを含む。開始フィールドが、測定を停止するように命令するとき、第２の制御情報は、少なくとも１つの第２の測定構成セットおよび測定基準信号に基づいた測定結果を報告するように、ＵＥに命令するために使用される。第２の制御情報が、開始フィールドを含まない場合、または開始フィールドが、継続測定のためのインジケーションを含む場合、第２の情報は、第１の測定構成セットに基づいた同じ構成を用いて、別の測定基準信号を測定するように、ＵＥに命令するために使用される。実施形態においては、測定インジケーションは、事前設定された条件または閾値に基づいて決定される。例えば、基地局は、ダウンリンクデータ量を決定し、基地局は、ダウンリンクデータ量が閾値Ｘを超えたと決定し、基地局は、測定を継続するようにＵＥに命令するために、測定インジケーションが使用されると決定する。方法は、以下の手順を含み得る。
【００７２】
基地局は、第１の制御情報をユーザ機器ＵＥに送信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。
【００７３】
基地局は、第１の測定基準信号をＵＥに送信する。
【００７４】
基地局は、基地局が第２の制御情報をＵＥに送信することを決定し、第２の制御情報は、少なくとも１つの第２の測定構成セットを含み、少なくとも１つの第２の測定構成セットおよび測定基準信号に基づいた第１の測定結果を報告するように、ＵＥに命令するために使用され、少なくとも１つの第１の測定構成セットに基づいて、第２の測定基準信号を測定するように、ＵＥに命令するためにさらに使用され、少なくとも１つの第２の測定構成セットは、第１の測定構成セットとは異なる。
【００７５】
基地局は、第２の測定基準信号をＵＥに送信し、第１の測定基準信号と第２の測定基準信号は、同じ構成を有する。
【００７６】
基地局は、基地局が第３の制御情報をＵＥに送信すると決定し、第３の制御情報は、少なくとも１つの第３の測定構成セットを含み、少なくとも１つの第３の測定構成セットに基づいた第２の測定結果を報告するように、ＵＥに命令するために使用され、少なくとも１つの第３の測定構成セットは、第１の測定構成セットとは異なり、および／または少なくとも１つの第３の測定構成セットは、第２の測定構成セットとは異なる。第１の制御情報、第２の制御情報、および第３の制御情報のうち、第２の制御情報および第３の制御情報だけが、アップリンクリソース割り当て情報を含み、アップリンクリソース割り当て情報は、ＵＥが測定結果を報告するチャネルリソースを示すために使用される。実施形態においては、第３の制御情報は、測定を停止するように、または測定を継続するように、ＵＥに命令するために使用される、別の測定インジケーションを含んでもまたよい。
【００７７】
上述のソリューションにおいては、基地局は、第２の制御情報を送信する前に、第１の測定構成セットの正確性を決定し得る。この正確性は、チャネル状態またはＵＥの運動ステータスなどに基づいて決定され得る。測定を継続すると決定した後、基地局は、第２の測定構成セットを決定し、測定結果を報告するようにＵＥに命令し、測定を継続するようにＵＥにさらに命令し、その後、第３の制御情報を送信することによって、第３の測定構成セットに基づいた測定結果を報告するように、ＵＥに命令する。この処理は、上述の測定インジケーションを使用することによって実装され得、測定インジケーションシグナリングは、第２の測定基準信号を測定することを停止するように、または第２の測定基準信号を測定するように、ＵＥを制御するために使用される。第１の測定基準信号と第２の測定基準信号が、同じ構成を有することは、第１の制御情報と第２の制御情報が、同じ測定処理における２つの基準信号であってもまたよいことを示す。実施形態においては、第１の測定基準信号および第２の測定基準信号は、同じ半永続的（ｓｅｍｉ−ｐｅｒｓｉｓｔｅｎｔ）なパイロット送信方式処理における基準信号である。半永続的なパイロット送信方式は、パイロット送信方式がトリガされた後、送信エンドが、複数の基準信号を受信エンドに送信し、複数の基準信号は、周期的に送信されることを示す。この実施形態においては、第１の測定基準信号および第２の測定基準信号は、各々、基地局によって周期的に送信される基準信号のうちの少なくとも１つである。
【００７８】
図３は、本発明の実施形態に従った、基地局のための方法のフローチャートである。図３を参照すると、方法は、以下のステップを含む。
【００７９】
ステップ３０１：基地局は、第１の制御情報をユーザ機器ＵＥに送信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。
【００８０】
ステップ３０２：基地局は、第１の測定基準信号をＵＥに送信する。
【００８１】
ステップ３０３：基地局は、第２の制御情報をＵＥに送信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。
【００８２】
第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。図３に示されるフローチャートは、方法を実装するために、図２に示される実施形態と組み合わされてよい。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、別のパラメータに基づいて、測定結果を報告するためにＵＥによって使用されるチャネルリソースを決定するために、さらに使用されてよいことが理解されるべきである。
【００８３】
実施形態においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００８４】
実施形態においては、第１の制御情報は、第１の測定方式セットを含み、第１の測定方式セットは、測定基準信号を測定する少なくとも１つの方式を含み、測定基準信号を測定する方式は、ＵＥが測定基準信号を測定する方式である。別の実施形態においては、第２の制御情報は、第２の測定方式セットを含み、第２の測定方式セットは、第１の測定方式セットのサブセットである。例えば、第１の測定方式セットは、以下の測定方式のうちの、すなわち、オープンループＭＩＭＯ送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００８５】
実施形態においては、第１の制御情報は、第１の測定タイプセットを含み、第１の測定タイプセットは、測定結果のタイプを含み、測定結果のタイプは、測定基準信号を測定することによってＵＥによって獲得される測定結果のタイプである。別の実施形態においては、第２の測定タイプセットは、第１の測定タイプセットのサブセットである。代替として、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。例えば、第１の測定タイプセットは、以下の測定方式のうちの、すなわち、プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列のうちの１つまたは複数を含む。
【００８６】
実施形態においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。別の実施形態においては、第２の制御情報は、第２の測定粒度セットを含み、第２の測定粒度セットは、第１の測定粒度セットのサブセットである。
【００８７】
図４は、本発明の実施形態に従った、ユーザ機器のための方法のフローチャートである。図４を参照すると、方法は、以下のステップを含む。
【００８８】
ステップ４０１：ユーザ機器ＵＥは、基地局によって送信された第１の制御情報を受信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。
【００８９】
ステップ４０２：ＵＥは、基地局によって送信された測定基準信号を受信する。
【００９０】
ステップ４０３：ユーザ機器ＵＥは、基地局によって送信された第２の制御情報を受信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。
【００９１】
第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。任意選択で、方法は、ステップ４０４をさらに含み、ＵＥは、第２の制御情報に基づいて、測定結果を決定する。ステップ４０５：ＵＥは、測定結果を報告する。図４に示されるフローチャートは、方法を実装するために、図２に示される実施形態と組み合わされてよい。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、別のパラメータに基づいて、測定結果を報告するためにＵＥによって使用されるチャネルリソースを決定するために、さらに使用されてよいことが理解されるべきである。
【００９２】
実施形態においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００９３】
実施形態においては、第１の制御情報は、第１の測定方式セットを含み、第１の測定方式セットは、測定基準信号を測定する少なくとも１つの方式を含み、測定基準信号を測定する方式は、ＵＥが測定基準信号を測定する方式である。別の実施形態においては、第２の制御情報は、第２の測定方式セットを含み、第２の測定方式セットは、第１の測定方式セットのサブセットである。例えば、第１の測定方式セットは、以下の測定方式のうちの、すなわち、オープンループＭＩＭＯ送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００９４】
実施形態においては、第１の制御情報は、第１の測定タイプセットを含み、第１の測定タイプセットは、測定結果のタイプを含み、測定結果のタイプは、測定基準信号を測定することによってＵＥによって獲得される測定結果のタイプである。別の実施形態においては、第２の測定タイプセットは、第１の測定タイプセットのサブセットである。代替として、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。例えば、第１の測定タイプセットは、以下の測定方式のうちの、すなわち、プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列のうちの１つまたは複数を含む。
【００９５】
実施形態においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。別の実施形態においては、第２の制御情報は、第２の測定粒度セットを含み、第２の測定粒度セットは、第１の測定粒度セットのサブセットである。
【００９６】
実施形態においては、シグナリング送信方法が、基地局のために定義されてよく、方法は、以下のステップを含む。
【００９７】
基地局は、第１の制御シグナリングをＵＥに送信し、第１の制御シグナリングは、半永続的な測定基準信号を送信し始めるように、ＵＥに命令するために使用される。
【００９８】
基地局は、第２の制御シグナリングをＵＥに送信し、第２の制御シグナリングは、測定結果を報告し始めるように、ＵＥに命令するために使用され、測定結果は、ＵＥが半永続的な基準信号を測定した後に決定される測定結果である。
【００９９】
基地局は、第３の制御シグナリングをＵＥに送信し、第３の制御シグナリングは、半永続的な測定基準信号を送信することを停止するように、ＵＥに命令するために使用され、また測定結果を報告することを停止するように、ＵＥに命令するために使用される。
【０１００】
任意選択で、第１の制御シグナリングが、半永続的な測定基準信号を送信し始めるように、ＵＥに命令するために使用されることは、以下を含む。
【０１０１】
基地局が、第１の制御シグナリングをＵＥに送信した後、基地局は、第１の時間オフセットおよび第１の周期で、少なくとも２回、半永続的な測定基準信号を送信する。
【０１０２】
任意選択で、第２の制御シグナリングが、測定結果を報告し始めるように、ＵＥに命令するために使用されることは、以下を含む。
【０１０３】
基地局が、第２の制御シグナリングをＵＥに送信した後、基地局は、第２の時間オフセットおよび第２の周期で、少なくとも２回、ＵＥによって報告された測定結果を受信する。
【０１０４】
任意選択で、第３の制御シグナリングが、半永続的な測定基準信号を送信することを停止するように、ＵＥに命令するために使用されることは、以下を含む。
【０１０５】
基地局が第３の制御シグナリングをＵＥに送信した時間から第１の有効時間後に、基地局は、半永続的な測定基準信号を送信することを停止する。
【０１０６】
任意選択で、第３の制御シグナリングが、測定結果を報告することを停止するように、ＵＥに命令するために使用されることは、以下を含む。
【０１０７】
基地局が第３の制御シグナリングをＵＥに送信した時間から第２の有効時間後に、基地局は、ＵＥによって報告された測定結果を受信することを停止する。
【０１０８】
実施形態においては、シグナリング受信方法が、ＵＥのために定義されてよく、方法は、以下のステップを含む。
【０１０９】
ＵＥは、基地局によって送信された第１の制御シグナリングを受信し、第１の制御シグナリングは、半永続的な測定基準信号を送信し始めるように、ＵＥに命令するために使用される。
【０１１０】
ＵＥは、基地局によって送信された第２の制御シグナリングを受信し、第２の制御シグナリングは、測定結果を報告し始めるように、ＵＥに命令するために使用され、測定結果は、ＵＥが半永続的な基準信号を測定した後に決定される測定結果である。
【０１１１】
ＵＥは、基地局によって送信された第３の制御シグナリングを受信し、第３の制御シグナリングは、半永続的な測定基準信号を送信することを停止するように、ＵＥに命令するために使用され、また測定結果を報告することを停止するように、ＵＥに命令するために使用される。
【０１１２】
任意選択で、第１の制御シグナリングが、半永続的な測定基準信号を送信し始めるように、ＵＥに命令するために使用されることは、以下を含む。
【０１１３】
ＵＥが、基地局によって送信された第１の制御シグナリングを受信した後、基地局は、第１の時間オフセットおよび第１の周期で、少なくとも２回、半永続的な測定基準信号をＵＥに送信する。
【０１１４】
任意選択で、第２の制御シグナリングが、測定結果を報告し始めるように、ＵＥに命令するために使用されることは、以下を含む。
【０１１５】
ＵＥが、基地局によって送信された第２の制御シグナリングを受信した後、基地局は、第２の時間オフセットおよび第２の周期で、少なくとも２回、ＵＥによって報告された測定結果を受信する。
【０１１６】
任意選択で、第３の制御シグナリングが、半永続的な測定基準信号を送信することを停止するように、ＵＥに命令するために使用されることは、以下を含む。
【０１１７】
ＵＥが基地局によって送信された第３の制御シグナリングを受信した時間から第１の有効時間後に、基地局は、半永続的な測定基準信号をＵＥに送信することを停止する。
【０１１８】
任意選択で、第３の制御シグナリングが、測定結果を報告することを停止するように、ＵＥに命令するために使用されることは、以下を含む。
【０１１９】
ＵＥが基地局によって送信された第３の制御シグナリングを受信した時間から第２の有効時間後に、ＵＥは、測定結果を基地局に報告することを停止する。
【０１２０】
実施形態においては、パラメータ通知方法が、基地局のために定義されてよく、方法は、以下のステップを含む。
【０１２１】
基地局は、適応的な構成方式で、半永続的な測定基準信号シーケンスの第１の有効時間をユーザ機器ＵＥに通知する。
【０１２２】
基地局は、適応的な構成方式で、半永続的な測定基準信号シーケンスの第２の有効時間をＵＥに通知する。
【０１２３】
任意選択で、半永続的な測定基準信号シーケンスは、少なくとも２つの測定基準信号を含み、基地局は、等しい時間間隔で、少なくとも２つの測定基準信号を送信する。
【０１２４】
任意選択で、半永続的な測定基準信号シーケンスの第１の有効時間は、以下を含む。
【０１２５】
半永続的な測定基準信号シーケンスの第１の有効時間は、第１の瞬間から、基地局が半永続的な基準測定信号シーケンスにおける第１の測定基準信号を送信する時間までの時間であり、第１の瞬間は、基地局およびＵＥに知られている。
【０１２６】
任意選択で、半永続的な測定基準信号シーケンスの第２の有効時間は、第２の瞬間から、基地局が半永続的な基準測定信号シーケンスにおいて測定基準信号を送信することを停止する時間までの時間であり、第２の瞬間は、基地局およびＵＥに知られている。
【０１２７】
任意選択で、基地局が、適応的な構成方式で、半永続的な測定基準信号シーケンスの第１の有効時間をＵＥに通知することは、以下を含む。
【０１２８】
基地局は、第１の有効時間の値をＵＥに通知するために、第３のシグナリングをＵＥに送信する。
【０１２９】
任意選択で、基地局が、適応的な構成方式で、半永続的な測定基準信号シーケンスの第１の有効時間をＵＥに通知することは、以下をさらに含む。
【０１３０】
基地局は、第１のパラメータセット内の少なくとも１つの要素の値をＵＥに通知するために、第４のシグナリングをＵＥに送信し、第１の有効時間の値は、第１のパラメータセット内の少なくとも１つの要素の値に基づいて決定される。
【０１３１】
任意選択で、第１のパラメータセットは、基地局によってＵＥのために使用されるサブキャリア間隔を少なくとも含む。
【０１３２】
任意選択で、基地局が、適応的な構成方式で、半永続的な測定基準信号シーケンスの第２の有効時間をＵＥに通知することは、以下を含む。
【０１３３】
基地局は、第２の有効時間の値をＵＥに通知するために、第５のシグナリングをＵＥに送信する。
【０１３４】
任意選択で、基地局が、適応的な構成方式で、半永続的な測定基準信号シーケンスの第２の有効時間をＵＥに通知することは、以下をさらに含む。
【０１３５】
基地局は、第２のパラメータセット内の少なくとも１つの要素の値をＵＥに通知するために、第６のシグナリングをＵＥに送信し、第２の有効時間の値は、第２のパラメータセット内の少なくとも１つの要素の値に基づいて決定される。
【０１３６】
任意選択で、第２のパラメータセットは、基地局によってＵＥのために使用されるサブキャリア間隔を少なくとも含む。
【０１３７】
実施形態においては、パラメータ受信方法が、ＵＥのために定義されてよく、方法は、以下のステップを含む。
【０１３８】
ＵＥは、適応的な構成方式で、基地局によってＵＥに通知される、半永続的な測定基準信号シーケンスに関する第１の有効時間を受信する。
【０１３９】
ＵＥは、適応的な構成方式で、基地局によってＵＥに通知される、半永続的な測定基準信号シーケンスに関する第２の有効時間を受信する。
【０１４０】
任意選択で、半永続的な測定基準信号シーケンスは、少なくとも２つの測定基準信号を含み、基地局は、等しい時間間隔で、少なくとも２つの測定基準信号を送信する。
【０１４１】
任意選択で、半永続的な測定基準信号シーケンスの第１の有効時間は、以下を含む。
【０１４２】
半永続的な測定基準信号シーケンスの第１の有効時間は、第１の瞬間から、基地局が半永続的な基準測定信号シーケンスにおける第１の測定基準信号を送信する時間までの時間であり、第１の瞬間は、基地局およびＵＥに知られている。
【０１４３】
任意選択で、半永続的な測定基準信号シーケンスの第２の有効時間は、第２の瞬間から、基地局が半永続的な基準測定信号シーケンスにおいて測定基準信号を送信することを停止する時間までの時間であり、第２の瞬間は、基地局およびＵＥに知られている。
【０１４４】
任意選択で、ＵＥが、適応的な構成方式で、基地局によってＵＥに通知される、半永続的な測定基準信号シーケンスに関する第１の有効時間を受信することは、以下を含む。
【０１４５】
ＵＥは、第１の有効時間の値をＵＥに通知するために基地局によって送信された第３のシグナリングを受信する。
【０１４６】
任意選択で、ＵＥが、適応的な構成方式で、基地局によってＵＥに通知される、半永続的な測定基準信号シーケンスに関する第１の有効時間を受信することは、
以下をさらに含む。
【０１４７】
ＵＥは、第１のパラメータセット内の少なくとも１つの要素の値をＵＥに通知するために基地局によって送信された第４のシグナリングを受信し、第１の有効時間の値は、第１のパラメータセット内の少なくとも１つの要素の値に基づいて決定される。
【０１４８】
任意選択で、第１のパラメータセットは、基地局によってＵＥのために使用されるサブキャリア間隔を少なくとも含む。
【０１４９】
任意選択で、ＵＥが、適応的な構成方式で、基地局によってＵＥに通知される、半永続的な測定基準信号シーケンスに関する第２の有効時間を受信することは、以下を含む。
【０１５０】
ＵＥは、第２の有効時間の値をＵＥに通知するために基地局によって送信された第５のシグナリングを受信する。
【０１５１】
任意選択で、ＵＥが、適応的な構成方式で、基地局によってＵＥに通知される、半永続的な測定基準信号シーケンスに関する第２の有効時間を受信することは、以下をさらに含む。
【０１５２】
ＵＥは、第２のパラメータセット内の少なくとも１つの要素の値をＵＥに通知するために基地局によって送信された第６のシグナリングを受信し、第２の有効時間の値は、第２のパラメータセット内の少なくとも１つの要素の値に基づいて決定される。
【０１５３】
任意選択で、第２のパラメータセットは、基地局によってＵＥのために使用されるサブキャリア間隔を少なくとも含む。
【０１５４】
実施形態においては、第１の情報受信方法が、基地局のためにさらに定義されてよく、方法は、以下のステップを含む。
【０１５５】
基地局は、第１のシグナリングをＵＥに送信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１５６】
基地局は、第２のシグナリングをＵＥに送信し、第２のシグナリングは、半永続的な情報シーケンスのグループにおける少なくとも１つの半永続的な情報シーケンスを報告することを停止するように、ＵＥに命令するために使用される。
【０１５７】
基地局が第２のシグナリングをＵＥに送信した後、基地局は、第１の時間窓内においてだけ、ＵＥによって報告された半永続的な情報シーケンスのグループ内の少なくとも１つの半永続的な情報シーケンスにおいて報告されなかった少なくとも１つの情報を受信する。
【０１５８】
任意選択で、半永続的な情報シーケンスは、少なくとも２つの半永続的な情報を含み、基地局は、等しい時間間隔で、ＵＥによって基地局に報告された少なくとも２つの半永続的な情報を受信する。
【０１５９】
任意選択で、第１の時間窓の値は、基地局およびＵＥに知られている。
【０１６０】
実施形態においては、第１の情報送信方法が、ＵＥのためにさらに定義されてよく、方法は、以下のステップを含む。
【０１６１】
ＵＥは、基地局によって送信された第１のシグナリングを受信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１６２】
ユーザ機器ＵＥは、基地局によって送信された第２のシグナリングを受信し、第２のシグナリングは、半永続的な情報シーケンスのグループにおける少なくとも１つの半永続的な情報シーケンスを報告することを停止するように、ＵＥに命令するために使用される。
【０１６３】
ユーザ機器ＵＥが基地局によって送信された第２のシグナリングを受信した後、ＵＥは、第１の時間窓内においてだけ、半永続的な情報シーケンスのグループ内の少なくとも１つの半永続的な情報シーケンスにおいて報告されなかった少なくとも１つの情報を基地局に報告する。
【０１６４】
任意選択で、半永続的な情報シーケンスは、少なくとも２つの半永続的な情報を含み、ＵＥは、等しい時間間隔で、少なくとも２つの半永続的な情報を基地局に報告する。
【０１６５】
任意選択で、第１の時間窓の値は、基地局およびＵＥに知られている。
【０１６６】
実施形態においては、第２の情報受信方法が、基地局のためにさらに定義されてよく、方法は、以下のステップを含む。
【０１６７】
基地局は、第１のシグナリングをＵＥに送信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１６８】
基地局は、第２のシグナリングをＵＥに送信し、第２のシグナリングは、半永続的な情報シーケンスのグループにおける少なくとも１つの半永続的な情報シーケンスを報告することを停止するように、ＵＥに命令するために使用される。
【０１６９】
基地局が第２のシグナリングをＵＥに送信した後、基地局は、基地局が第２のシグナリングをＵＥに送信した瞬間に最も近い時間において、ＵＥによって報告された第１の情報だけを受信し、第１の情報は、半永続的な情報シーケンスのグループ内の少なくとも１つの半永続的な情報シーケンスにおいてＵＥによって報告されなかった情報である。
【０１７０】
任意選択で、半永続的な情報シーケンスは、少なくとも２つの半永続的な情報を含み、基地局は、等しい時間間隔で、ＵＥによって基地局に報告された少なくとも２つの半永続的な情報を受信する。
【０１７１】
実施形態においては、第２の情報送信方法が、ＵＥのためにさらに定義されてよく、方法は、以下のステップを含む。
【０１７２】
ＵＥは、基地局によってＵＥに送信された第１のシグナリングを受信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１７３】
ＵＥは、基地局によってＵＥに送信された第２のシグナリングを受信し、第２のシグナリングは、半永続的な情報シーケンスのグループにおける少なくとも１つの半永続的な情報シーケンスを報告することを停止するように、ＵＥに命令するために使用される。
【０１７４】
ＵＥが基地局によってＵＥに送信された第２のシグナリングを受信した後、ＵＥは、基地局が第２のシグナリングをＵＥに送信した瞬間に最も近い時間において、ＵＥによって報告される第１の情報だけを報告し、第１の情報は、半永続的な情報シーケンスのグループ内の少なくとも１つの半永続的な情報シーケンスにおいてＵＥによって報告されなかった情報である。
【０１７５】
任意選択で、半永続的な情報シーケンスは、少なくとも２つの半永続的な情報を含み、ＵＥは、等しい時間間隔で、少なくとも２つの半永続的な情報を基地局に報告する。
【０１７６】
実施形態においては、第３の情報送信方法が、基地局のためにさらに定義されてよく、方法は、以下のステップを含む。
【０１７７】
基地局は、第１のシグナリングをＵＥに送信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１７８】
基地局は、第２のシグナリングをＵＥに送信し、第２のシグナリングは、半永続的な情報シーケンスのグループにおける少なくとも１つの半永続的な情報シーケンスを報告することを停止するように、ＵＥに命令するために使用される。
【０１７９】
基地局が第２のシグナリングをＵＥに送信した後、基地局は、ＵＥによって報告された第１の情報だけを受信し、第１の情報は、半永続的な情報シーケンスのグループにおける少なくとも１つの半永続的な情報シーケンスのうちにあり、またＵＥによって報告されていない情報のうちにある、最もプライオリティが高い情報である。
【０１８０】
任意選択で、半永続的な情報シーケンスは、少なくとも２つの半永続的な情報を含み、基地局は、等しい時間間隔で、ＵＥによって基地局に報告された少なくとも２つの半永続的な情報を受信する。
【０１８１】
任意選択で、プライオリティは、基地局およびＵＥに知られている。
【０１８２】
実施形態においては、第３の情報送信方法が、ＵＥのためにさらに定義されてよく、方法は、以下のステップを含む。
【０１８３】
ＵＥは、基地局によってＵＥに送信された第１のシグナリングを受信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１８４】
ＵＥは、基地局によってＵＥに送信された第２のシグナリングを受信し、第２のシグナリングは、半永続的な情報シーケンスのグループにおける少なくとも１つの半永続的な情報シーケンスを報告することを停止するように、ＵＥに命令するために使用される。
【０１８５】
ＵＥが基地局によってＵＥに送信された第２のシグナリングを受信した後、ＵＥは、第１の情報だけを基地局に報告し、第１の情報は、半永続的な情報シーケンスのグループにおける少なくとも１つの半永続的な情報シーケンスのうちにあり、またＵＥによって報告されていない情報のうちにある、最もプライオリティが高い情報である。
【０１８６】
任意選択で、半永続的な情報シーケンスは、少なくとも２つの半永続的な情報を含み、基地局は、等しい時間間隔で、ＵＥによって基地局に報告された少なくとも２つの半永続的な情報を受信し、ＵＥは、等しい時間間隔で、少なくとも２つの半永続的な情報を基地局に報告する。
【０１８７】
任意選択で、プライオリティは、基地局およびＵＥに知られている。
【０１８８】
図５は、本発明の実施形態に従った、基地局装置の構造図である。図５を参照すると、基地局装置５００は、図１および図３の実施形態における機能を実装するために、決定ユニット５０１と、送信ユニット５０２とを含む。例えば、決定ユニット５０１は、測定基準信号と、第１の制御情報と、第２の制御情報とを決定するように構成される。送信ユニット５０２は、第１の制御情報をユーザ機器ＵＥに送信するように構成され、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。送信ユニット５０２は、測定基準信号をＵＥに送信するようにさらに構成される。送信ユニット５０２は、第２の制御情報をＵＥに送信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。基地局装置は、ＵＥによって送信された測定結果を受信するように構成された受信ユニット５０３をさらに含んでよい。
【０１８９】
図６は、本発明の実施形態に従った、ユーザ機器の構造図である。図６を参照すると、ユーザ機器６００は、図１および図４の実施形態における機能を実装するために、受信ユニット６０１と、決定ユニット６０２とを含む。例えば、受信ユニット６０１は、基地局によって送信された第１の制御情報を受信するように構成され、第１の制御情報は、キャリア上におけるＵＥの測定基準信号を示すために使用され、第１の制御情報は、少なくとも１つの第１の測定構成セットを含む。決定ユニット６０２は、少なくとも１つの第１の測定構成セットに基づいて、測定基準信号を測定するように構成される。受信ユニット６０１は、基地局によって送信された測定基準信号を受信するようにさらに構成される。受信ユニット６０１は、基地局によって送信された第２の制御情報を受信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。ユーザ機器は、測定結果を送信するように構成された送信ユニット６０３をさらに含んでよい。
【０１９０】
ユニットは、互いに組み合わせされてよく、または適切な範囲内で置き換えられてよく、もしくは分割されてよいことが理解されるべきである。本発明の実施形態におけるユニット分割は、例であり、論理機能分割であるにすぎない。実際の実装中に、別の分割方式があってよい。本発明の実施形態における機能ユニットは、１つの処理ユニットに統合されてよく、またはユニットの各々は、物理的に単独で存在してよく、または２つ以上のユニットが、１つのユニットに統合される。例えば、受信ユニットと送信ユニットは、送受信ユニットであってよい。
【０１９１】
図７は、本発明の実施形態に従った、基地局装置の構造図である。図７を参照すると、基地局装置７００は、図１、図３、および図５の実施形態における機能を実装するために、プロセッサ７０１と、送信機７０２とを含む。基地局装置は、測定結果を受信し、図５の受信ユニット５０３の機能を実装するように構成された、受信機７０３をさらに含んでよい。受信機７０３と送信機７０２は、さらに、片方向、二重、および半二重送受信機であってよい。プロセッサ７０１は、データを記憶し、プロセッサ７０１のプログラムを開始するように構成された、メモリ（図示されず）をさらに含んでよい。プロセッサ７０１は、さらに、構成された機能を実装するために、メモリと協力してよい。メモリは、ソフトウェアを使用することによって、図２、図３、および図５の実施形態における機能を実装するための、コンピュータプログラムをさらに含んでよい。
【０１９２】
図８は、本発明の実施形態に従った、ユーザ機器の構造図である。図８を参照すると、基地局装置８００は、図２、図４、および図６の実施形態における機能を実装するために、プロセッサ８０１と、受信機８０２とを含む。基地局装置は、測定結果を送信し、図６の送信ユニット６０３の機能を実装するように構成された、送信機８０３をさらに含んでよい。受信機８０２と送信機８０３は、さらに、片方向、二重、および半二重送受信機であってよい。プロセッサ８０１は、データを記憶し、プロセッサ８０１のプログラムを開始するように構成された、メモリ（図示されず）をさらに含んでよい。プロセッサ８０１は、さらに、構成された機能を実装するために、メモリと協力してよい。メモリは、ソフトウェアを使用することによって、図２、図４、および図６の実施形態における機能を実装するための、コンピュータプログラムをさらに含んでよい。
【０１９３】
図７および図８に示される実施形態においては、プロセッサは、中央処理ユニット（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理デバイス、トランジスタ論理デバイス、ハードウェアコンポーネント、またはそれらの任意の組み合わせであってよい。本発明において開示された内容を参照して説明される方法またはアルゴリズムは、ハードウェアによって実装されてよく、またはソフトウェア命令を実行することによって、プロセッサによって実装されてよい。ソフトウェア命令は、対応するソフトウェアモジュールを含んでよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ  Ｏｎｌｙ  Ｍｅｍｏｒｙ、ＲＯＭ）、消去可能プログラマブルリードオンリメモリ（Ｅｒａｓａｂｌｅ  Ｐｒｏｇｒａｍｍａｂｌｅ  ＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスクリードオンリメモリ（ＣＤ−ＲＯＭ）、または当技術分野においてよく知られた記憶媒体の他の任意の形態内に記憶されてよい。例えば、記憶媒体は、プロセッサが、記憶媒体から情報を読み取り、または記憶媒体に情報を書き込むことができるように、プロセッサに結合される。もちろん、記憶媒体は、プロセッサの構成要素であってよい。プロセッサと記憶媒体は、ＡＳＩＣ内に配置されてよい。
【０１９４】
上述の１つまたは複数の例においては、本発明において説明される機能は、ハードウェア、ソフトウェア、ファームウェア、またはそれらの任意の組み合わせによって実装されてよいことに、当業者は気付くべきである。本発明がソフトウェアによって実装されるとき、上述の機能は、コンピュータ可読媒体内に記憶されてよく、またはコンピュータ可読媒体内の１つもしくは複数の命令もしくはコードとして送信されてよい。コンピュータ可読媒体は、コンピュータ記憶媒体と、通信媒体とを含み、通信媒体は、コンピュータプログラムが１つの場所から別の場所に送信されることを可能にする任意の媒体を含む。記憶媒体は、汎用または専用コンピュータからアクセス可能な任意の利用可能な媒体であってよい。
【０１９５】
本発明の目的、技術的ソリューション、および利益は、さらに、上述の特定の実施形態において詳細に説明される。上述の説明は、本発明の特定の実施形態にすぎず、本発明の保護範囲を限定することを意図されていないことが理解されるべきである。本発明の主旨および原理内において行われるいずれの変更、等価な置換、または改善も、本発明の保護範囲内に包含されるものとする。
【０１９６】
上述の説明は、本発明の特定の実装にすぎず、本発明の保護範囲を限定することを意図されていない。本発明において開示された技術的範囲内において当業者によって容易に考え出されるいずれの変形または置換も、本発明の保護範囲内に包含されるものとする。したがって、本発明の保護範囲は、特許請求の範囲の保護範囲に従うものとする。
【図１】
2019537893.tif 000003
【図２】
2019537893.tif 000004
【図３】
2019537893.tif 000005
【図４】
2019537893.tif 000006
【図５】
2019537893.tif 000007
【図６】
2019537893.tif 000008
【図７】
2019537893.tif 000009
【図８】
2019537893.tif 000010
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
基地局によって、第１の制御情報をユーザ機器（ＵＥ）に送信するステップであって、前記第１の制御情報は、キャリア上における前記ＵＥの測定基準信号を示すために使用され、前記第１の制御情報は、少なくとも１つの第１の測定構成セットを含み、前記少なくとも１つの第１の測定構成セットに基づいて、前記測定基準信号を測定するように、前記ＵＥに命令するために使用される、ステップと、
前記基地局によって、前記測定基準信号を前記ＵＥに送信するステップと、
前記基地局によって、第２の制御情報を前記ＵＥに送信するステップであって、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なる、ステップと
を含み、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
チャネル測定方法。
【請求項２】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項１に記載の方法。
【請求項３】
前記第２の制御情報は、第２の測定方式セットを含み、前記第２の測定方式セットは、前記第１の測定方式セットのサブセットである
請求項２に記載の方法。
【請求項４】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項１乃至３のいずれか一項に記載の方法。
【請求項５】
前記第２の制御情報は、第２の測定タイプセットを含み、前記第２の測定タイプセットは、前記第１の測定タイプセットのサブセットである
請求項４に記載の方法。
【請求項６】
ユーザ機器（ＵＥ）によって、基地局によって送信された第１の制御情報を受信するステップであって、前記第１の制御情報は、キャリア上における前記ＵＥの測定基準信号を示すために使用され、前記第１の制御情報は、少なくとも１つの第１の測定構成セットを含み、前記少なくとも１つの第１の測定構成セットに基づいて、前記測定基準信号を測定するように、前記ＵＥに命令するために使用される、ステップと、
前記ＵＥによって、前記基地局によって送信された前記測定基準信号を受信するステップと、
前記ＵＥによって、前記基地局によって送信された第２の制御情報を受信するステップであって、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なる、ステップと
を含み、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
チャネル測定方法。
【請求項７】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項６に記載の方法。
【請求項８】
前記第２の制御情報は、第２の測定方式セットを含み、前記第２の測定方式セットは、前記第１の測定方式セットのサブセットである
請求項７に記載の方法。
【請求項９】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項６乃至８のいずれか一項に記載の方法。
【請求項１０】
前記第２の制御情報は、第２の測定タイプセットを含み、前記第２の測定タイプセットは、前記第１の測定タイプセットのサブセットである
請求項９に記載の方法。
【請求項１１】
測定基準信号、第１の制御情報、および第２の制御情報を決定するように構成された、決定ユニットと、
前記第１の制御情報をユーザ機器（ＵＥ）に送信するように構成された、送信ユニットであって、前記第１の制御情報は、キャリア上における前記ＵＥの前記測定基準信号を示すために使用され、前記第１の制御情報は、少なくとも１つの第１の測定構成セットを含み、前記少なくとも１つの第１の測定構成セットに基づいて、前記測定基準信号を測定するように、前記ＵＥに命令するために使用される、送信ユニットと
を備え、
前記送信ユニットは、前記測定基準信号を前記ＵＥに送信するようにさらに構成され、
前記送信ユニットは、前記第２の制御情報を前記ＵＥに送信するようにさらに構成され、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なり、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
基地局。
【請求項１２】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項１１に記載の基地局。
【請求項１３】
前記第２の制御情報は、第２の測定方式セットを含み、前記第２の測定方式セットは、前記第１の測定方式セットのサブセットである
請求項１２に記載の基地局。
【請求項１４】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項１１乃至１３のいずれか一項に記載の基地局。
【請求項１５】
前記第２の制御情報は、第２の測定タイプセットを含み、前記第２の測定タイプセットは、前記第１の測定タイプセットのサブセットである
請求項１４に記載の基地局。
【請求項１６】
基地局によって送信された第１の制御情報を受信するように構成された、受信ユニットであって、前記第１の制御情報は、キャリア上におけるユーザ機器（ＵＥ）の測定基準信号を示すために使用され、前記第１の制御情報は、少なくとも１つの第１の測定構成セットを含む、受信ユニットと、
前記少なくとも１つの第１の測定構成セットに基づいて、前記測定基準信号を測定するように構成された、決定ユニットと
を備え、
前記受信ユニットは、前記基地局によって送信された前記測定基準信号を受信するようにさらに構成され、
前記受信ユニットは、前記基地局によって送信された第２の制御情報を受信するようにさらに構成され、前記第２の制御情報は、少なくとも１つの第２の測定構成セットを含み、前記少なくとも１つの第２の測定構成セットおよび前記測定基準信号に基づいた測定結果を報告するように、前記ＵＥに命令するために使用され、前記少なくとも１つの第２の測定構成セットは、第１の測定構成セットとは異なり、
前記第１の制御情報および前記第２の制御情報のうち前記第２の制御情報だけが、アップリンクリソース割り当て情報を含み、前記アップリンクリソース割り当て情報は、前記ＵＥが前記測定結果を報告するチャネルリソースを示すために使用される
ユーザ機器。
【請求項１７】
前記第１の制御情報が少なくとも１つの第１の測定構成セットを含むことは、
前記第１の制御情報が、第１の測定方式セットを含み、前記第１の測定方式セットは、前記測定基準信号を測定する少なくとも１つの方式を含み、前記測定基準信号を測定する前記方式は、前記ＵＥが前記測定基準信号を測定する方式であること
を含む請求項１６に記載のユーザ機器。
【請求項１８】
前記第２の制御情報は、第２の測定方式セットを含み、前記第２の測定方式セットは、前記第１の測定方式セットのサブセットである
請求項１７に記載のユーザ機器。
【請求項１９】
前記第１の制御情報が少なくとも１つの第１の測定構成セットを含むことは、
前記第１の制御情報が、第１の測定タイプセットを含み、前記第１の測定タイプセットは、前記測定結果のタイプを含み、前記測定結果の前記タイプは、前記測定基準信号を測定することによって前記ＵＥによって獲得される測定結果のタイプであること
を含む請求項１６乃至１８のいずれか一項に記載のユーザ機器。
【請求項２０】
前記第２の制御情報は、第２の測定タイプセットを含み、前記第２の測定タイプセットは、前記第１の測定タイプセットのサブセットである
請求項１９に記載のユーザ機器。
【手続補正２】
【補正対象書類名】明細書
【補正対象項目名】全文
【補正方法】変更
【補正の内容】
【発明の詳細な説明】
【技術分野】
【０００１】
本出願は、通信技術の分野に関し、詳細には、基準信号測定方法および装置に関する。
【０００２】
本出願は、その全体が参照によって本明細書に組み込まれる、２０１６年１１月４日に中国特許庁に出願された、「ＲＥＦＥＲＥＮＣＥ  ＳＩＧＮＡＬ  ＭＥＡＳＵＲＥＭＥＮＴ  ＭＥＴＨＯＤ  ＡＮＤ  ＡＰＰＡＲＡＴＵＳ」と題する、中国特許出願第２０１６１０９７８４７９．５号に基づく優先権を主張する。
【背景技術】
【０００３】
基準信号ＲＳ（ｒｅｆｅｒｅｎｃｅ  ｓｉｇｎａｌ）は、「パイロット信号」である。従来の４Ｇネットワークにおいては、基地局は、通常、システム帯域幅の一部を特定のユーザ機器ＵＥ（ｕｓｅｒ  ｅｑｕｉｐｍｅｎｔ）に割り当てる。すなわち、基地局は、特定の時間内において、特定の周波数リソースをＵＥに割り当てる。このケースにおいては、特定の周波数リソースをＵＥに優先的に割り当て、ＵＥのサービス品質をより良く保証するために、基地局が、相対的に高い品質の特定の周波数リソースを知る必要がある場合、リソーススケジューリングの間に、基準信号が、基準を基地局に提供し得る。
【０００４】
先行技術においては、基準信号は、ＵＥが基準信号を受信するリソースをＵＥに通知するためのシグナリングを使用することによって構成される。しかしながら、ネットワーク正確性要件が増すにつれて、基準信号は、シグナリングの一部だけを使用することによって構成されるが、正確に制御されることができない。加えて、対応するチャネルパラメータおよび通信モードが変化し続けるとき、対応する基準信号品質測定は、複雑になる傾向にある。リアルタイムフィードバックに関して、５Ｇネットワークは、より高い正確性要件を有する。単一の構成シグナリングの一部を使用することによって基準信号を構成することは、融通がきかない。加えて、測定結果が後で報告されるとき、基地局は、冗長な結果、またはチャネル推定を実行するための他のパラメータ情報をもはや必要としていないことがあり、それによって、チャネルリソースの浪費を引き起こす。
【発明の概要】
【０００５】
本発明は、貧弱なフィードバックリアルタイム品質および低いフィードバック正確性という問題を解決するための、基準信号測定方法および装置を提供する。
【０００６】
第１の態様に従うと、本発明の実施形態は、基地局によって、第１の制御情報をユーザ機器ＵＥに送信するステップであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、ステップと、基地局によって、測定基準信号をＵＥに送信するステップと、基地局によって、第２の制御情報をＵＥに送信するステップであって、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる、ステップとを含み、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、チャネル測定方法を提供する。
【０００７】
第１の態様の第１の可能な実装においては、第１の制御情報が少なくとも１つの第１の測定構成セットを含むことは、第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であることを含む。
【０００８】
第１の態様の第１の可能な実装を参照すると、第２の可能な実装においては、第２の制御情報は、第２の測定方式セットを含み、第２の測定方式セットは、第１の測定方式セットのサブセットである。
【０００９】
第１の態様の第１の可能な実装および第２の可能な実装のうちのどちらかを参照すると、第３の可能な実装においては、第１の測定方式セットは、以下の測定方式のうちの、すなわち、オープンループ多入力多出力ＭＩＭＯ（ｍｕｌｔｉｐｌｅ−ｉｎｐｕｔ  ｍｕｌｔｉｐｌｅ−ｏｕｔｐｕｔ）送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００１０】
第１の態様または第１の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００１１】
第１の態様の第４の可能な実装を参照すると、第５の可能な実装においては、第２の制御情報は、第２の測定タイプセットを含み、第２の測定タイプセットは、第１の測定タイプセットのサブセットである。
【００１２】
第１の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００１３】
第１の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ（ｐｒｅｃｏｄｉｎｇ  ｍａｔｒｉｘ  ｉｎｄｉｃａｔｉｏｎ）、チャネル品質インジケータＣＱＩ（ｃｈａｎｎｅｌ  ｑｕａｌｉｔｙ  ｉｎｄｉｃａｔｏｒ）、ランクインジケーションＲＩ（ｒａｎｋ  ｉｎｄｉｃａｔｉｏｎ）、ビームインジケータＣＲＩ（ｃｈａｎｎｅｌ  ｓｔａｔｅ  ｉｎｆｏｒｍａｔｉｏｎ  ＲＳ  ｒｅｓｏｕｒｃｅ  ｉｎｄｉｃａｔｏｒ）、チャネル行列、チャネル固有ベクトル、およびチャネル空間共分散行列
のうちの１つまたは複数を含む。
【００１４】
第１の態様または第１の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００１５】
第１の態様の第８の可能な実装を参照すると、第９の可能な実装においては、第２の制御情報は、第２の測定粒度セットを含み、第２の測定粒度セットは、第１の測定粒度セットのサブセットである。
【００１６】
第１の態様または第１の態様の第１乃至第９の可能な実装のうちのいずれか１つを参照すると、第１０の可能な実装においては、第１の制御情報は、ダウンリンク制御情報ＤＣＩ（ｄｏｗｎｌｉｎｋ  ｃｏｎｔｒｏｌ  ｉｎｆｏｒｍａｔｉｏｎ）、もしくはマルチプルアクセス制御要素ＭＡＣ  ＣＥ（Ｍｅｄｉａ  Ａｃｃｅｓｓ  Ｃｏｎｔｒｏｌ  ｃｏｎｔｒｏｌ  ｅｌｅｍｅｎｔ）であり、および／または第２の制御情報は、ダウンリンク制御情報ＤＣＩである。
【００１７】
第２の態様に従うと、本発明の実施形態は、
ユーザ機器ＵＥによって、基地局によって送信された第１の制御情報を受信するステップであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、ステップと、ＵＥによって、基地局によって送信された測定基準信号を受信するステップと、ユーザ機器ＵＥによって、基地局によって送信された第２の制御情報を受信するステップであって、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる、ステップとを含み、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、
チャネル測定方法を提供する。
【００１８】
第２の態様の第１の可能な実装においては、第１の制御情報が少なくとも１つの第１の測定構成セットを含むことは、
第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であること
を含む。
【００１９】
第２の態様の第１の可能な実装を参照すると、第２の可能な実装においては、第２の制御情報は、第２の測定方式セットを含み、第２の測定方式セットは、第１の測定方式セットのサブセットである。
【００２０】
第２の態様の第１の可能な実装および第２の可能な実装のうちのどちらかを参照すると、第３の可能な実装においては、第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００２１】
第２の態様または第２の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００２２】
第２の態様の第４の可能な実装を参照すると、第５の可能な実装においては、第２の制御情報は、第２の測定タイプセットを含み、第２の測定タイプセットは、第１の測定タイプセットのサブセットである。
【００２３】
第２の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００２４】
第２の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間相関行列
のうちの１つまたは複数を含む。
【００２５】
第２の態様または第２の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００２６】
第２の態様の第８の可能な実装を参照すると、第９の可能な実装においては、第２の制御情報は、第２の測定粒度セットを含み、第２の測定粒度セットは、第１の測定粒度セットのサブセットである。
【００２７】
第２の態様または第２の態様の第１乃至第９の可能な実装のうちのいずれか１つを参照すると、第１０の可能な実装においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００２８】
第３の態様に従うと、本発明の実施形態は、測定基準信号、第１の制御情報、および第２の制御情報を決定するように構成された決定ユニットと、第１の制御情報をユーザ機器ＵＥに送信するように構成された送信ユニットであって、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される、送信ユニットとを含み、送信ユニットは、測定基準信号をＵＥに送信するようにさらに構成され、送信ユニットは、第２の制御情報をＵＥに送信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、基地局を提供する。
【００２９】
第３の態様の第１の可能な実装においては、第１の制御情報が少なくとも１つの第１の測定構成セットを含むことは、第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であることを含む。
【００３０】
第３の態様の第１の可能な実装を参照すると、第２の可能な実装においては、第２の制御情報は、第２の測定方式セットを含み、第２の測定方式セットは、第１の測定方式セットのサブセットである。
【００３１】
第３の態様の第１の可能な実装および第２の可能な実装のうちのどちらかを参照すると、第３の可能な実装においては、第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００３２】
第３の態様または第３の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００３３】
第３の態様の第４の可能な実装を参照すると、第５の可能な実装においては、第２の制御情報は、第２の測定タイプセットを含み、第２の測定タイプセットは、第１の測定タイプセットのサブセットである。
【００３４】
第３の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００３５】
第３の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列
のうちの１つまたは複数を含む。
【００３６】
第３の態様または第３の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００３７】
第３の態様の第８の可能な実装を参照すると、第９の可能な実装においては、第２の制御情報は、第２の測定粒度セットを含み、第２の測定粒度セットは、第１の測定粒度セットのサブセットである。
【００３８】
第３の態様または第３の態様の第１乃至第９の可能な実装のうちのいずれか１つを参照すると、第１０の可能な実装においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００３９】
第４の態様に従うと、本発明の実施形態は、基地局によって送信された第１の制御情報を受信するように構成された、受信ユニットであって、第１の制御情報は、キャリア上におけるＵＥの測定基準信号を示すために使用され、第１の制御情報は、少なくとも１つの第１の測定構成セットを含む、受信ユニットと、少なくとも１つの第１の測定構成セットに基づいて、測定基準信号を測定するように構成された、決定ユニットとを含み、受信ユニットは、基地局によって送信された測定基準信号を受信するようにさらに構成され、受信ユニットは、基地局によって送信された第２の制御情報を受信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される、ユーザ機器ＵＥを提供する。
【００４０】
第４の態様の第１の可能な実装においては、第１の制御情報が少なくとも１つの第１の測定構成セットを含むことは、第１の制御情報が、第１の測定方式セットを含み、第１の測定方式セットは、測定基準信号を測定する少なくとも１つの方式を含み、測定基準信号を測定する方式は、ＵＥが測定基準信号を測定する方式であることを含む。
【００４１】
第４の態様の第１の可能な実装を参照すると、第２の可能な実装においては、第２の制御情報は、第２の測定方式セットを含み、第２の測定方式セットは、第１の測定方式セットのサブセットである。
【００４２】
第４の態様の第１の可能な実装および第２の可能な実装のうちのどちらかを参照すると、第３の可能な実装においては、第１の測定方式セットは、以下の測定方式のうちの、すなわち、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００４３】
第４の態様または第４の態様の第１乃至第３の可能な実装のうちのいずれか１つを参照すると、第４の可能な実装においては、第１の制御情報が少なくとも１つの第１の測定構成セットを含むことは、第１の制御情報が、第１の測定タイプセットを含み、第１の測定タイプセットは、測定結果のタイプを含み、測定結果のタイプは、測定基準信号を測定することによってＵＥによって獲得される測定結果のタイプであることを含む。
【００４４】
第４の態様の第４の可能な実装を参照すると、第５の可能な実装においては、第２の制御情報は、第２の測定タイプセットを含み、第２の測定タイプセットは、第１の測定タイプセットのサブセットである。
【００４５】
第４の態様の第４の可能な実装を参照すると、第６の可能な実装においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。
【００４６】
第４の態様の第４乃至第６の可能な実装のうちのいずれか１つを参照すると、第７の可能な実装においては、第１の測定タイプセットは、以下の測定方式のうちの、すなわち、
プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列
のうちの１つまたは複数を含む。
【００４７】
第４の態様または第４の態様の第１乃至第７の可能な実装のうちのいずれか１つを参照すると、第８の可能な実装においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。
【００４８】
第４の態様の第８の可能な実装を参照すると、第９の可能な実装においては、第２の制御情報は、第２の測定粒度セットを含み、第２の測定粒度セットは、第１の測定粒度セットのサブセットである。
【００４９】
第４の態様または第４の態様の第１乃至第９の可能な実装のうちのいずれか１つを参照すると、第１０の可能な実装においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００５０】
上述の方法に従うと、第１の制御情報をＵＥに送信した後、基地局デバイスは、第１の制御情報に基づいて、基準信号を測定するように、ＵＥに命令し、次に、第２の制御情報をＵＥに送信して、測定結果を報告するように、ＵＥに命令する。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。
【図面の簡単な説明】
【００５１】
【図１】本発明の実施形態に従った、可能な応用例シナリオの概略アーキテクチャ図である。
【図２】本発明の実施形態に従った、情報フィールドの概略図である。
【図３】本発明の実施形態に従った、基準信号送信方法の概略フローチャートである。
【図４】本発明の実施形態に従った、基準信号送信方法の概略フローチャートである。
【図５】本発明の実施形態に従った、基地局デバイスの概略装置図である。
【図６】本発明の実施形態に従った、ユーザ機器の概略装置図である。
【図７】本発明の実施形態に従った、基地局デバイスの概略装置図である。
【図８】本発明の実施形態に従った、ユーザ機器の概略装置図である。
【発明を実施するための形態】
【００５２】
本発明の目的、技術的ソリューション、および利点をより明瞭にするために、以下では、添付の図面を参照して、本発明の実施形態の技術的ソリューションについて説明する。
【００５３】
基地局は、第１の制御情報をユーザ機器ＵＥに送信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。基地局は、測定基準信号をＵＥに送信する。基地局は、第２の制御情報をＵＥに送信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。上述の方法に従うと、第１の制御情報をＵＥに送信した後、基地局デバイスは、第１の制御情報に基づいて、基準信号を測定するように、ＵＥに命令し、次に、第２の制御情報をＵＥに送信して、測定結果を報告するように、ＵＥに命令する。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、測定結果を報告するためにＵＥによって使用されるチャネルリソースを、別のパラメータに基づいて決定するために、さらに使用されてよい。
【００５４】
図１は、本発明の実施形態に従った、可能な応用例シナリオおよび対応する方法を示している。基地局デバイス１０１とユーザ機器ＵＥ１０２との間のリンク１０３は、相互接続およびインターワーキングを実装するために、エアインターフェースを通して形成する。図１に示されるリンク１０３は、リンクの例を表すにすぎないことが理解されるべきである。ＵＥとデータを交換するのに加えて、基地局は、ＵＥのリソースおよび構成を制御するように構成される。いくつかのケースにおいては、ＵＥは、制御機能を実装してもまたよく、ＵＥと基地局は、互いにネゴシエートすることが理解されるべきである。
【００５５】
基地局は、第１の制御情報をユーザ機器ＵＥに送信するように構成され、第１の制御情報は、キャリア上におけるＵＥの測定基準信号を示すために使用される。第１の制御情報は、少なくとも１つの第１の測定構成セットを含み、少なくとも１つの第１の測定構成セットに基づいて、測定基準信号を測定するように、ＵＥに命令するために使用される。
【００５６】
実施形態においては、第１の制御情報は、ＲＲＣまたは他の制御シグナリングであってよい。別の実施形態においては、第１の制御情報は、ダウンリンク制御情報ＤＣＩ、またはマルチプルアクセス制御要素ＭＡＣ  ＣＥであってよい。ＤＣＩまたはマルチプルアクセス制御要素ＭＡＣ  ＣＥを使用する利点は、構成が柔軟であり、応答待ち時間が短いことである。第１の測定構成セットは、ＵＥによって測定基準信号を測定するための構成を示すために使用される。本明細書においては、ＵＥが測定基準信号を測定する測定量および方式を示すために使用される、１つまたは複数の構成が存在してよいことが理解されるべきである。
【００５７】
第１の制御情報は、ＵＥが別の基準信号を測定した後に報告される結果に基づいて決定され得る。例えば、ＵＥは、別の基準信号を測定すること、またはページングメッセージを受信することによって、フィードバック情報を報告し得る。基地局が、ＵＥのチャネル品質を決定した場合、基地局は、第１の制御情報に含まれる測定構成セット、および各測定構成セットの特定の測定構成を決定し得る。例えば、基地局が、第１の制御情報を決定する前に、ＵＥが低速運動状態にあり、相対的に高いＣＱＩ値を有することを、別の測定処理からのいくつかのサブフレームまたはスロットで、学んだとき、基地局は、測定構成セットが、少なくとも測定方式セットを含み、測定方式セットは、少なくともクローズドループＭＩＭＯ測定方式を含むと決定し得る。別の実施形態においては、第１の制御情報は、別の構成に基づいてさらに決定され得る。例えば、セル再選択の後、第１の制御情報は、履歴情報に基づいて決定され得、その場合、近隣基地局または近隣制御ノードによって送信されたメッセージに対する測定が、補足のために実行される。代替として、第１の制御情報は、初期構成に基づいて決定され得る。
【００５８】
基地局は、測定基準信号をＵＥに送信する。基地局は、第２の制御情報をＵＥに送信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。
【００５９】
以下では、特に、第１の測定構成セットおよび第２の測定構成セットについて詳細に説明する。
【００６０】
１つまたは複数の第１の測定構成セットおよび／または第２の測定構成セットが、存在し得る。測定処理における異なるパラメータ項目、測定方式項目、および測定粒度項目、または測定処理における基地局によってＵＥに示されることが必要な他の構成項目は、異なるセットで構成され得る。第１の測定構成セットおよび第２の測定構成セットは、上記の特定のセットに限定されるべきではない。
【００６１】
実施形態においては、構成セットは、第１の測定方式セットを含み、第１の測定方式セットは、測定基準信号を測定する少なくとも１つの方式を含み、測定基準信号を測定する方式は、ＵＥが測定基準信号を測定する方式である。測定基準信号を測定する方式は、限定されることなく、オープンループまたは半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定を含み得る。基地局は、例えば、上述の実施形態において説明されたような、いくつかの事前情報に基づいて、ＵＥの測定方式セットを決定し得、基地局は、ＵＥまたは別のＵＥによって報告された測定結果に基づいて、ＵＥの測定方式セットを、以前のいくつかのサブフレームまたはスロットで、決定し得、ＵＥの決定された測定方式セットに基づいて、測定セットを決定し得る。例えば、基地局は、別の測定基準信号を測定することによってＵＥによって獲得された測定結果に基づいて、ＵＥのチャネル品質を決定する。基地局が、測定結果が事前設定された条件または閾値を満たすと、例えば、ＣＱＩが相対的に高いと決定した場合、基地局は、測定方式セットが、クローズドループＭＩＭＯ送信方式、オープンループＭＩＭＯ送信方式、およびまたは半オープンループＭＩＭＯ送信方式を含むと決定する。基地局は、ＵＥが、オープンループＭＩＭＯ送信方法での測定、半オープンループＭＩＭＯ送信方法での測定、およびクローズドループＭＩＭＯ送信方式に基づいて、基準信号を別々に測定することができるように、第１の制御情報を使用することによって、決定された測定方式セットをＵＥに送信する。これの利点は、以下の通りである。ＵＥが、基準信号に対して複数のタイプの測定を実行することができ、チャネル品質の可能な変化に柔軟に応答することができるように、複数の測定方式が構成される。したがって、測定結果を報告するようにＵＥを促したとき、基地局は、最新のチャネル品質に基づいて、対応する測定方式の測定結果を報告するように、ＵＥに命令することができ、ＵＥのその後のデータ送信にとって最も適切な送信ソリューションを構成することができ、それによって、データ送信効率を改善する。本発明の実施形態においては、第１の制御情報を受信した後、ＵＥは、第１の制御情報に基づいて、測定方式を決定し得ることが理解されるべきである。しかしながら、ＵＥは、実際の状況およびＵＥの能力に基づいて、実際の測定方式をさらに決定し得る。本発明の実施形態においては、基地局は、デフォルトオプションに基づいて、測定方式セットを構成し得、または完全に動的に測定方式セットを構成し得ることが理解されるべきである。
【００６２】
別の実施形態においては、第１の制御情報は、第１の測定タイプセットを含み、第１の測定タイプセットは、測定結果のタイプを含み、測定結果のタイプは、測定基準信号を測定することによってＵＥによって獲得される測定結果のタイプである。本明細書における測定結果のタイプは、ＵＥによって測定される必要がある結果タイプまたはカテゴリ、例えば、プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列である。上述の測定方式セットと同様に、実施形態においては、基地局は、いくかの事前情報に基づいて、ＵＥによって測定される必要があり得る測定結果タイプを決定し得る。例えば、基地局は、測定タイプセットを決定するためにＵＥまたは別のＵＥによって報告された測定結果に基づいて、測定結果タイプを、先行するいくつかのサブフレームまたはスロットで、決定し得る。例えば、基地局が、ＵＥが別の測定基準信号を測定するために使用された報告量に基づいて、ＵＥのチャネル品質が相対的に高い、例えば、ＣＱＩが相対的に高いことを学んだ場合、基地局は、第１の測定タイプセットが、ＣＱＩ、ＰＭＩ、ＲＩ、およびチャネル空間共分散行列を含むと決定する。このケースにおいては、基地局は、第１の測定タイプセットが、｛ＰＭＩ，ＲＩ，ＣＱＩ，チャネル空間共分散行列｝であると決定する。これの利点は、以下の通りである。ＵＥが、基準信号に対して複数のタイプの測定を実行することができ、チャネル品質の可能な変化に柔軟に応答することができるように、複数の測定タイプが構成される。したがって、測定結果を報告するようにＵＥを促したとき、基地局は、最新のチャネル品質に基づいて、対応する測定方式の測定結果を報告するように、ＵＥに命令することができ、それによって、測定結果を報告する柔軟性を改善し、ＵＥのその後のデータ送信の品質および効率を改善する。別の実施形態においては、基地局は、デフォルト値に基づいて、第１の測定タイプセットを完全に構成しても、または完全に動的に第１の測定タイプセットを構成してもまたよい。
【００６３】
さらに別の実施形態においては、第１の制御情報は、第１の測定粒度セットを含み、第１の測定粒度セットは、測定結果の粒度を含み、測定結果の粒度は、測定基準信号を測定することによってＵＥによって獲得される測定結果の粒度である。可能な実装においては、第１の測定粒度セットは、以下の測定粒度のうちの、すなわち、チャネル測定パラメータのワイドバンドフィードバック、チャネル測定パラメータのサブバンドフィードバック、最適なチャネル測定パラメータを有するＭ個のサブバンドのフィードバック、および最適なチャネル測定パラメータを有するＮ個のビームに対応するチャネル状態情報ＣＳＩ（ｃｈａｎｎｅｌ  ｓｔａｔｅ  ｉｎｆｏｒｍａｔｉｏｎ）フィードバックのうちの少なくとも１つを含み、ここで、ＭおよびＮは、正の整数である。最適なチャネル測定パラメータを有するＭ個のサブバンドのフィードバックは、いくつかのサブバンドのチャネル測定パラメータの測定中における、最適な測定パラメータを有するＭ個のサブバンドのチャネルパラメータであってよく、最適なチャネル測定パラメータを有するＮ個のビームに対応するＣＳＩフィードバックは、最適な測定パラメータを有するＮ個のビームに対応するＣＳＩであってよい。第１の測定粒度セットおよび第１の測定タイプセットの両方は、ＵＥの測定粒度に対応する測定結果タイプを示し得ることが理解されるべきである。例えば、第１の測定タイプセットは、チャネル品質インジケータＣＱＩ、およびチャネル固有ベクトルｖを含み、第１の測定粒度セットは、ワイドバンドフィードバック、最も高いＣＱＩを有するＭ個のサブバンドのフィードバック、および対応するサブバンドのインデックスを含む。このケースにおいては、ＵＥは、ワイドバンドＣＱＩ、およびチャネル固有ベクトルｖを測定し、最も高いＣＱＩを有するＭ個のサブバンドのＣＱＩ、および対応するサブバンドのチャネル固有ベクトルｖを測定する。第１の測定粒度セットは、ＵＥの対応する測定結果タイプを示す方式で、第１の測定タイプセットと組み合わされ得る。例えば、第１の測定タイプセットは、チャネル品質インジケータＣＱＩ、およびチャネル固有ベクトルｖを含み、チャネル品質インジケータＣＱＩに対応する第１の測定粒度セットは、ワイドバンドフィードバック、および最も高いＣＱＩを有するＭ個のサブバンドのフィードバックを含む。第１の測定粒度セットが、最も高いＣＱＩを有するＭ個のサブバンドのフィードバックを含むとき、対応するサブバンドのインデックスが、さらにフィードバックされてよい。チャネル固有ベクトルｖに対応する第１の測定粒度セットが、最も高いＣＱＩを有するＭ個のサブバンドのフィードバック、および対応するサブバンドのインデックスを含むとき、ＵＥは、ワイドバンドＣＱＩ、サブバンドＣＱＩ、最も高いＣＱＩを有するＭ個のサブバンドのチャネル固有ベクトルｖ、および対応するサブバンドのインデックスを測定する。別の実施形態においては、代替として、第１の測定方式セット、第１の測定タイプセット、および第１の測定粒度セットのすべて、または３つのセットの組み合わせが、少なくとも１つの第１の測定構成セットに基づいて、測定基準信号を測定するように、ＵＥに命��するために、第１の制御情報に含まれてよい。実施形態においては、最適なチャネル測定パラメータを有するＭ個のサブバンドのチャネルパラメータが、フィードバックされ、その後、最適な測定パラメータを有するＭ個のサブバンドのチャネルパラメータに対応するサブバンドが、さらにフィードバックされてよい。特定の実装においては、最適な測定パラメータを有するＭ個のサブバンドのうちのサブバンドのインデックスが、フィードバックされてよい。最適な測定パラメータを有するＮ個のビームに対応するＣＳＩが、フィードバックされ、その後、最適な測定パラメータを有するＮ個のビームのビームインジケータＣＲＩが、さらにフィードバックされてよい。図１を参照すると、第１の制御情報の可能な形式が、図２に示される実施形態に示されている。第１の制御情報は、Ｋ個のフィールドを含み得、各フィールドは、測定構成セットを示すために使用される。図２においては、Ｋの値は、１０であり得る。例えば、第１の測定方式セットを示すために、フィールドＡが使用される。フィールドＡにおいては、「００１０」は、第１の測定方式セットが、クローズドループＭＩＭＯ送信方法での測定、および送信ダイバーシティ送信方法での測定を含み、クローズドループＭＩＭＯ送信方法での測定、および送信ダイバーシティ送信方法での測定に基づいて、測定基準信号を測定するように、ＵＥに命令するために使用されることを示す。第１の測定タイプセットを示すために、フィールドＢが使用される。フィールドＢにおいては、「１０００」は、第１の測定タイプセットが、ＰＭＩ、ＣＱＩ、およびＲＩを含み、ＰＭＩ、ＣＱＩ、およびＲＩパラメータを測定および決定するように、ＵＥに命令するために使用されることを示す。第１の測定粒度セットを示すために、フィールドＣが使用され、「１１」は、第１の測定粒度セットが、最適なチャネル測定パラメータを有するＭ個のサブバンドのフィードバック、および最適なチャネル測定パラメータを有するＮ個のビームに対応するＣＳＩのフィードバックを含み、最適なチャネル測定パラメータを有するＭ個のサブバンド、および最適なチャネル測定パラメータを有するＮ個のビームに対応するＣＳＩを決定するように、ＵＥに命令するために使用されることを示す。特定の実装においては、代替として、ＭおよびＮの値は、第１の制御情報を使用することによって、送信されてよく、またはＭの値および／もしくはＮの値は、初期化中に事前定義され、もしくはネゴシエーションを通して、もしくは別のデバイスの構成を使用することによって決定される。別の実施形態においては、第１の制御情報に含まれる測定構成セットのタイプが決定されたとき、２つ以上の測定構成セットに含まれる要素の組み合わせは、ジョイント符号化を通して、第１の制御情報内の固定されたビットを使用することによって示されてもまたよい。例えば、「１００１０」は、第１の制御情報に含まれる第１の測定方式セットおよび第１の測定タイプセットに直接対応しており、第１の測定方式セットは、クローズドループＭＩＭＯ送信方法での測定、および送信ダイバーシティ送信方法での測定を含み、第１の測定タイプセットは、ＰＭＩ、およびＣＱＩを含む。これの利��は、ビットリソースが節約されることができ、構成効率が改善されることができることである。
【００６４】
別の実施形態においては、第２の制御情報は、ダウンリンク制御情報ＤＣＩ、またはマルチプルアクセス制御要素ＭＡＣ  ＣＥである。ＤＣＩまたはＭＡＣ  ＣＥを使用する利点は、構成が柔軟であり、応答待ち時間が短いことである。本明細書においては、１つまたは複数の第２の測定構成セットが存在し得、それらは、ＵＥが測定基準信号を測定する測定量および方式を示すために使用される。
【００６５】
第１の制御情報と同様に、ＵＥが別の基準信号を測定した後に報告される結果に基づいて、第２の制御情報が決定され得る。例えば、ＵＥは、別の基準信号を測定すること、またはページングメッセージを受信することによって、フィードバック情報を報告し得る。基地局が、ＵＥが動いている、またはチャネル品質が変化したと決定した場合、基地局は、第１の制御情報に含まれる測定構成セットに基づいて、第２の制御情報に含まれる測定構成セット、および各測定構成セットの特定の測定構成を決定し得る。例えば、基地局が、第２の制御情報を決定する前の別の測定処理において、いくつかのサブフレームまたはスロットで、ＵＥのＣＱＩを獲得したとき、基地局は、測定構成セットが、少なくとも測定方式セットを含み、測定方式セットは、少なくともクローズドループＭＩＭＯ送信方式を含むと決定し得る。別の実施形態においては、第２の制御情報は、別の構成に基づいてさらに決定されてよい。例えば、セル再選択の後、第２の制御情報は、履歴情報に基づいて決定されてよく、近隣基地局または近隣制御ノードによって送信されたメッセージを使用することによって補足される。代替として、第２の制御情報は、初期構成に基づいて決定されてよい。別の実施形態においては、第１の制御情報に基づいて時間期間を決定するために、第２の制御情報が使用されてよく、第２の制御情報は、時間期間内のＵＥのセル内移動もしくはセル間移動、または別の測定結果、もしくはＵＥによって報告されるページングメッセージだけに基づいて決定される。本明細書における別の測定結果は、測定基準信号以外の基準信号に基づいた測定を通して、ＵＥによって獲得される結果であってよい。第２の制御情報は、測定結果を報告するためにＵＥによって使用されるチャネルリソースをさらに示す。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、別のパラメータに基づいて、測定結果を報告するためにＵＥによって使用されるチャネルリソースを決定するために、さらに使用されてよいことが理解されるべきである。
【００６６】
実施形態においては、第１の制御情報が、第１の測定方式セットを含むとき、第２の制御情報は、第２の測定方式セットを含み得、第２の測定方式セットは、第１の測定方式セットのサブセットである。例えば、第１の制御情報は、オープンループＭＩＭＯ送信方法での測定、およびクローズドループＭＩＭＯ送信方法での測定を含む。第１の制御情報を送信した後、基地局は、別のＵＥによって報告された測定結果、または別の測定基準信号に基づいてＵＥによって報告された測定結果に基づいて、ＵＥが高速運動状態にあると決定する。このケースにおいては、基地局は、ＵＥは、クローズドループＭＩＭＯ送信方法で、測定の結果を報告する必要がなく、第２の測定方式セットは、クローズドループＭＩＭＯ送信方法での測定を含まないと決定する。
【００６７】
別の実施形態においては、第２の制御情報は、第２の測定タイプセットを含み、第２の測定タイプセットは、第１の測定タイプセットのサブセットである。
【００６８】
別の実施形態においては、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。第２の制御情報に含まれる第２の測定タイプセットは、第１の測定タイプセット内に存在しない項目を含んでよく、第１の測定タイプセット内に存在しない項目は、第１のタイプセット内の項目に基づいた計算を通して決定され得る。例えば、第１の測定タイプセットは、チャネル品質パラメータＳ、およびチャネルノイズパラメータＮを含み、チャネル品質パラメータＳおよびチャネルノイズパラメータＮを決定するために、測定基準信号を測定するように、ＵＥに命令するために使用される。第２の測定タイプセットは、信号対雑音比ＳＮＲパラメータを含んでよく、ＳＮＲは、ＳおよびＮに基づいた計算を通して決定され得る。別の例として、第１の測定タイプセットは、チャネル空間共分散行列を含み、ＵＥのチャネル空間共分散行列を決定するために、測定基準信号を測定するように、ＵＥに命令するために使用される。第２の測定タイプセットは、ＲＩおよびＰＭＩを含み、ＲＩおよびＰＭＩは、チャネル空間共分散行列に基づいた計算を通して決定され得る。本発明の実施形態においては、第１の測定方式セットと第２の測定方式セット、および第１の測定粒度セットと第２の測定粒度セットも、そのような関係を有してもまたよいことが理解されるべきである。
【００６９】
別の実施形態においては、第２の制御情報は、第２の測定粒度セットを含み、第２の測定粒度セットは、第１の測定粒度セットとは異なる。例えば、第１の測定粒度セットは、最も高いＣＱＩを有するＭ１個のサブバンドのフィールドを含み、第２の測定粒度セットは、最も高いＣＱＩを有するＭ２個のサブバンドのフィールドを含み、ここで、Ｍ２は、Ｍ１よりも小さい。別の例として、第２の測定粒度セットは、第１の測定粒度セットのサブセットである。同様に、第１の測定粒度セットは、最も高い受信エネルギーＲＳＲＰ（ｒｅｆｅｒｅｎｃｅ  ｓｉｇｎａｌ  ｒｅｃｅｉｖｅｄ  ｐｏｗｅｒ）を有するＮ１個のビームに対応するＣＳＩを含み、第２の測定粒度セットは、最も高いＲＳＲＰを有するＮ２個のビームに対応するＣＳＩフィードバックを含み、ここで、Ｎ２は、Ｎ１よりも小さい。
【００７０】
本発明においては、第１の制御情報は、上述のいくつかのセットを含むばかりでなく、第１の測定制約セットも含んでよいことが理解されるべきである。セットは、時間領域平均測定、周波数領域平均測定、空間領域（ビーム）平均測定、時間領域非平均測定、周波数領域非平均測定、空間領域非平均測定のうちの１つまたは複数を含んでよい。第２の制御情報は、第１の測定制約セットのサブセットである第２の測定制約セットを含んでよい。加えて、実施形態においては、第１の制御情報内の要素は、新しい第１の測定構成セットを形成するために、実際の要件に基づいて、組み合わされても、分割されてもまたよく、第２の測定構成セットは、第１の測定構成セットのサブセットである。例えば、第１の測定構成セットは、｛オープンループＭＩＭＯ送信方法での測定，半オープンループＭＩＭＯ送信方法での測定，ＰＭＩ，ＣＱＩ｝であってよく、第２の測定構成セットは、第１の測定構成セットのサブセット｛半オープンループＭＩＭＯ送信方法での測定，ＰＭＩ｝である。
【００７１】
さらに別の実施形態においては、第２の制御情報は、測定を停止するように、または測定を継続するように、ＵＥに命令するために使用される、測定インジケーションをさらに含む。測定インジケーションは、測定基準信号を測定することを停止するように、ＵＥに明示的または暗黙的に命令するために使用され得る。例えば、第２の制御情報は、開始フィールドを含む。開始フィールドが、測定を停止するように命令するとき、第２の制御情報は、少なくとも１つの第２の測定構成セットおよび測定基準信号に基づいた測定結果を報告するように、ＵＥに命令するために使用される。第２の制御情報が、開始フィールドを含まない場合、または開始フィールドが、継続測定のためのインジケーションを含む場合、第２の制御情報は、第１の測定構成セットに基づいた同じ構成を用いて、別の測定基準信号を測定するように、ＵＥに命令するために使用される。実施形態においては、測定インジケーションは、事前設定された条件または閾値に基づいて決定される。例えば、基地局は、ダウンリンクデータ量を決定し、基地局は、ダウンリンクデータ量が閾値Ｘを超えたと決定し、基地局は、測定を継続するようにＵＥに命令するために、測定インジケーションが使用されると決定する。方法は、以下の手順を含み得る。
【００７２】
基地局は、第１の制御情報をユーザ機器ＵＥに送信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。
【００７３】
基地局は、第１の測定基準信号をＵＥに送信する。
【００７４】
基地局は、基地局が第２の制御情報をＵＥに送信することを決定し、第２の制御情報は、少なくとも１つの第２の測定構成セットを含み、少なくとも１つの第２の測定構成セットおよび測定基準信号に基づいた第１の測定結果を報告するように、ＵＥに命令するために使用され、少なくとも１つの第１の測定構成セットに基づいて、第２の測定基準信号を測定するように、ＵＥに命令するためにさらに使用され、少なくとも１つの第２の測定構成セットは、第１の測定構成セットとは異なる。
【００７５】
基地局は、第２の測定基準信号をＵＥに送信し、第１の測定基準信号と第２の測定基準信号は、同じ構成を有する。
【００７６】
基地局は、基地局が第３の制御情報をＵＥに送信すると決定し、第３の制御情報は、少なくとも１つの第３の測定構成セットを含み、少なくとも１つの第３の測定構成セットに基づいた第２の測定結果を報告するように、ＵＥに命令するために使用され、少なくとも１つの第３の測定構成セットは、第１の測定構成セットとは異なり、および／または少なくとも１つの第３の測定構成セットは、第２の測定構成セットとは異なる。第１の制御情報、第２の制御情報、および第３の制御情報のうち、第２の制御情報および第３の制御情報だけが、アップリンクリソース割り当て情報を含み、アップリンクリソース割り当て情報は、ＵＥが測定結果を報告するチャネルリソースを示すために使用される。実施形態においては、第３の制御情報は、測定を停止するように、または測定を継続するように、ＵＥに命令するために使用される、別の測定インジケーションを含んでもまたよい。
【００７７】
上述のソリューションにおいては、基地局は、第２の制御情報を送信する前に、第１の測定構成セットの正確性を決定し得る。この正確性は、チャネル状態またはＵＥの運動ステータスなどに基づいて決定され得る。測定を継続すると決定した後、基地局は、第２の測定構成セットを決定し、測定結果を報告するようにＵＥに命令し、測定を継続するようにＵＥにさらに命令し、その後、第３の制御情報を送信することによって、第３の測定構成セットに基づいた測定結果を報告するように、ＵＥに命令する。この処理は、上述の測定インジケーションを使用することによって実装され得、測定インジケーションシグナリングは、第２の測定基準信号を測定することを停止するように、または第２の測定基準信号を測定するように、ＵＥを制御するために使用される。第１の測定基準信号と第２の測定基準信号が、同じ構成を有することは、第１の制御情報と第２の制御情報が、同じ測定処理における２つの基準信号であってもまたよいことを示す。実施形態においては、第１の測定基準信号および第２の測定基準信号は、同じ半永続的（ｓｅｍｉ−ｐｅｒｓｉｓｔｅｎｔ）なパイロット送信方式処理における基準信号である。半永続的なパイロット送信方式は、パイロット送信方式がトリガされた後、送信エンドが、複数の基準信号を受信エンドに送信し、複数の基準信号は、周期的に送信されることを示す。この実施形態においては、第１の測定基準信号および第２の測定基準信号は、各々、基地局によって周期的に送信される基準信号のうちの少なくとも１つである。
【００７８】
図３は、本発明の実施形態に従った、基地局のための方法のフローチャートである。図３を参照すると、方法は、以下のステップを含む。
【００７９】
ステップ３０１：基地局は、第１の制御情報をユーザ機器ＵＥに送信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。
【００８０】
ステップ３０２：基地局は、第１の測定基準信号をＵＥに送信する。
【００８１】
ステップ３０３：基地局は、第２の制御情報をＵＥに送信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。
【００８２】
第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。図３に示されるフローチャートは、方法を実装するために、図２に示される実施形態と組み合わされてよい。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、別のパラメータに基づいて、測定結果を報告するためにＵＥによって使用されるチャネルリソースを決定するために、さらに使用されてよいことが理解されるべきである。
【００８３】
実施形態においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００８４】
実施形態においては、第１の制御情報は、第１の測定方式セットを含み、第１の測定方式セットは、測定基準信号を測定する少なくとも１つの方式を含み、測定基準信号を測定する方式は、ＵＥが測定基準信号を測定する方式である。別の実施形態においては、第２の制御情報は、第２の測定方式セットを含み、第２の測定方式セットは、第１の測定方式セットのサブセットである。例えば、第１の測定方式セットは、以下の測定方式のうちの、すなわち、オープンループＭＩＭＯ送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００８５】
実施形態においては、第１の制御情報は、第１の測定タイプセットを含み、第１の測定タイプセットは、測定結果のタイプを含み、測定結果のタイプは、測定基準信号を測定することによってＵＥによって獲得される測定結果のタイプである。別の実施形態においては、第２の測定タイプセットは、第１の測定タイプセットのサブセットである。代替として、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。例えば、第１の測定タイプセットは、以下の測定方式のうちの、すなわち、プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列のうちの１つまたは複数を含む。
【００８６】
実施形態においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。別の実施形態においては、第２の制御情報は、第２の測定粒度セットを含み、第２の測定粒度セットは、第１の測定粒度セットのサブセットである。
【００８７】
図４は、本発明の実施形態に従った、ユーザ機器のための方法のフローチャートである。図４を参照すると、方法は、以下のステップを含む。
【００８８】
ステップ４０１：ユーザ機器ＵＥは、基地局によって送信された第１の制御情報を受信し、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。
【００８９】
ステップ４０２：ＵＥは、基地局によって送信された測定基準信号を受信する。
【００９０】
ステップ４０３：ユーザ機器ＵＥは、基地局によって送信された第２の制御情報を受信し、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。
【００９１】
第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。任意選択で、方法は、ステップ４０４をさらに含み、ＵＥは、第２の制御情報に基づいて、測定結果を決定する。ステップ４０５：ＵＥは、測定結果を報告する。図４に示されるフローチャートは、方法を実装するために、図２に示される実施形態と組み合わされてよい。第２の制御情報は、フィードバック正確性が改善されることができ、および／またはチャネルリソースが節約されることができるように、適切な測定結果を報告するように、ＵＥに命令するために使用される。加えて、第１の制御情報を搬送するビットの量が低減されることができ、不必要なチャネルリソースオーバヘッドが低減されることができるように、第２の制御情報だけが、測定結果を報告するためにＵＥによって使用されるチャネルリソースを示す。加えて、チャネルリソースを割り当てる柔軟性を改善し、ネットワークの全体的なデータ送信レートを改善する助けとなるように、基地局が、測定結果を報告するようにＵＥに命令するために第２の制御情報を送信する時のチャネルステータスもしくはネットワーク負荷、または別のＵＥの関連情報に基づいて、適切なチャネルリソースをＵＥに柔軟に割り当てることができるように、第２の制御情報だけが、チャネルリソースを示す。第２の制御情報は、別のパラメータに基づいて、測定結果を報告するためにＵＥによって使用されるチャネルリソースを決定するために、さらに使用されてよいことが理解されるべきである。
【００９２】
実施形態においては、第１の制御情報は、ダウンリンク制御情報ＤＣＩ、もしくはマルチプルアクセス制御要素ＭＡＣ  ＣＥであり、および／または第２の制御情報は、ダウンリンク制御情報ＤＣＩである。
【００９３】
実施形態においては、第１の制御情報は、第１の測定方式セットを含み、第１の測定方式セットは、測定基準信号を測定する少なくとも１つの方式を含み、測定基準信号を測定する方式は、ＵＥが測定基準信号を測定する方式である。別の実施形態においては、第２の制御情報は、第２の測定方式セットを含み、第２の測定方式セットは、第１の測定方式セットのサブセットである。例えば、第１の測定方式セットは、以下の測定方式のうちの、すなわち、オープンループＭＩＭＯ送信方法での測定、半オープンループＭＩＭＯ送信方法での測定、クローズドループＭＩＭＯ送信方法での測定、送信ダイバーシティ送信方法での測定、単一アンテナ送信方法での測定、シングルユーザＭＩＭＯ送信方法での測定、およびマルチユーザＭＩＭＯ送信方法での測定のうちの１つまたは複数を含む。
【００９４】
実施形態においては、第１の制御情報は、第１の測定タイプセットを含み、第１の測定タイプセットは、測定結果のタイプを含み、測定結果のタイプは、測定基準信号を測定することによってＵＥによって獲得される測定結果のタイプである。別の実施形態においては、第２の測定タイプセットは、第１の測定タイプセットのサブセットである。代替として、第２の制御情報は、第２の測定タイプセットを含み、第２の測定タイプセットは、測定結果のタイプを含み、第２の測定タイプセット内に存在する測定結果の少なくとも１つのタイプは、第１の測定タイプセット内に存在する測定結果のタイプに基づいて決定される。例えば、第１の測定タイプセットは、以下の測定方式のうちの、すなわち、プリコーディング行列インジケーションＰＭＩ、チャネル品質インジケータＣＱＩ、ランクインジケーションＲＩ、ビームインジケータＣＲＩ、チャネル行列、チャネル固有ベクトル、およびチャネル空間共分散行列のうちの１つまたは複数を含む。
【００９５】
実施形態においては、第１の制御情報が少なくとも１つの第１の測定構成セットを含むことは、第１の制御情報が、第１の測定粒度セットを含み、第１の測定粒度セットは、測定結果の粒度を含み、測定結果の粒度は、測定基準信号を測定することによってＵＥによって獲得される測定結果の粒度であることを含む。別の実施形態においては、第２の制御情報は、第２の測定粒度セットを含み、第２の測定粒度セットは、第１の測定粒度セットのサブセットである。
【００９６】
実施形態においては、シグナリング送信方法が、基地局のために定義されてよく、方法は、以下のステップを含む。
【００９７】
基地局は、第１の制御シグナリングをＵＥに送信し、第１の制御シグナリングは、半永続的な測定基準信号を送信し始めるように、ＵＥに命令するために使用される。
【００９８】
基地局は、第２の制御シグナリングをＵＥに送信し、第２の制御シグナリングは、測定結果を報告し始めるように、ＵＥに命令するために使用され、測定結果は、ＵＥが半永続的な基準信号を測定した後に決定される測定結果である。
【００９９】
基地局は、第３の制御シグナリングをＵＥに送信し、第３の制御シグナリングは、半永続的な測定基準信号を送信することを停止するように、ＵＥに命令するために使用され、また測定結果を報告することを停止するように、ＵＥに命令するために使用される。
【０１００】
任意選択で、第１の制御シグナリングが、半永続的な測定基準信号を送信し始めるように、ＵＥに命令するために使用されることは、以下を含む。
【０１０１】
基地局が、第１の制御シグナリングをＵＥに送信した後、基地局は、第１の時間オフセットおよび第１の周期で、少なくとも２回、半永続的な測定基準信号を送信する。
【０１０２】
任意選択で、第２の制御シグナリングが、測定結果を報告し始めるように、ＵＥに命令するために使用されることは、以下を含む。
【０１０３】
基地局が、第２の制御シグナリングをＵＥに送信した後、基地局は、第２の時間オフセットおよび第２の周期で、少なくとも２回、ＵＥによって報告された測定結果を受信する。
【０１０４】
任意選択で、第３の制御シグナリングが、半永続的な測定基準信号を送信することを停止するように、ＵＥに命令するために使用されることは、以下を含む。
【０１０５】
基地局が第３の制御シグナリングをＵＥに送信した時間から第１の有効時間後に、基地局は、半永続的な測定基準信号を送信することを停止する。
【０１０６】
任意選択で、第３の制御シグナリングが、測定結果を報告することを停止するように、ＵＥに命令するために使用されることは、以下を含む。
【０１０７】
基地局が第３の制御シグナリングをＵＥに送信した時間から第２の有効時間後に、基地局は、ＵＥによって報告された測定結果を受信することを停止する。
【０１０８】
実施形態においては、シグナリング受信方法が、ＵＥのために定義されてよく、方法は、以下のステップを含む。
【０１０９】
ＵＥは、基地局によって送信された第１の制御シグナリングを受信し、第１の制御シグナリングは、半永続的な測定基準信号を送信し始めるように、ＵＥに命令するために使用される。
【０１１０】
ＵＥは、基地局によって送信された第２の制御シグナリングを受信し、第２の制御シグナリングは、測定結果を報告し始めるように、ＵＥに命令するために使用され、測定結果は、ＵＥが半永続的な基準信号を測定した後に決定される測定結果である。
【０１１１】
ＵＥは、基地局によって送信された第３の制御シグナリングを受信し、第３の制御シグナリングは、半永続的な測定基準信号を送信することを停止するように、ＵＥに命令するために使用され、また測定結果を報告することを停止するように、ＵＥに命令するために使用される。
【０１１２】
任意選択で、第１の制御シグナリングが、半永続的な測定基準信号を送信し始めるように、ＵＥに命令するために使用されることは、以下を含む。
【０１１３】
ＵＥが、基地局によって送信された第１の制御シグナリングを受信した後、基地局は、第１の時間オフセットおよび第１の周期で、少なくとも２回、半永続的な測定基準信号をＵＥに送信する。
【０１１４】
任意選択で、第２の制御シグナリングが、測定結果を報告し始めるように、ＵＥに命令するために使用されることは、以下を含む。
【０１１５】
ＵＥが、基地局によって送信された第２の制御シグナリングを受信した後、基地局は、第２の時間オフセットおよび第２の周期で、少なくとも２回、ＵＥによって報告された測定結果を受信する。
【０１１６】
任意選択で、第３の制御シグナリングが、半永続的な測定基準信号を送信することを停止するように、ＵＥに命令するために使用されることは、以下を含む。
【０１１７】
ＵＥが基地局によって送信された第３の制御シグナリングを受信した時間から第１の有効時間後に、基地局は、半永続的な測定基準信号をＵＥに送信することを停止する。
【０１１８】
任意選択で、第３の制御シグナリングが、測定結果を報告することを停止するように、ＵＥに命令するために使用されることは、以下を含む。
【０１１９】
ＵＥが基地局によって送信された第３の制御シグナリングを受信した時間から第２の有効時間後に、ＵＥは、測定結果を基地局に報告することを停止する。
【０１２０】
実施形態においては、パラメータ通知方法が、基地局のために定義されてよく、方法は、以下のステップを含む。
【０１２１】
基地局は、適応的な構成方式で、半永続的な測定基準信号シーケンスの第１の有効時間をユーザ機器ＵＥに通知する。
【０１２２】
基地局は、適応的な構成方式で、半永続的な測定基準信号シーケンスの第２の有効時間をＵＥに通知する。
【０１２３】
任意選択で、半永続的な測定基準信号シーケンスは、少なくとも２つの測定基準信号を含み、基地局は、等しい時間間隔で、少なくとも２つの測定基準信号を送信する。
【０１２４】
任意選択で、半永続的な測定基準信号シーケンスの第１の有効時間は、以下を含む。
【０１２５】
半永続的な測定基準信号シーケンスの第１の有効時間は、第１の瞬間から、基地局が半永続的な測定基準信号シーケンスにおける第１の測定基準信号を送信する時間までの時間であり、第１の瞬間は、基地局およびＵＥに知られている。
【０１２６】
任意選択で、半永続的な測定基準信号シーケンスの第２の有効時間は、第２の瞬間から、基地局が半永続的な測定基準信号シーケンスにおいて測定基準信号を送信することを停止する時間までの時間であり、第２の瞬間は、基地局およびＵＥに知られている。
【０１２７】
任意選択で、基地局が、適応的な構成方式で、半永続的な測定基準信号シーケンスの第１の有効時間をＵＥに通知することは、以下を含む。
【０１２８】
基地局は、第１の有効時間の値をＵＥに通知するために、第３のシグナリングをＵＥに送信する。
【０１２９】
任意選択で、基地局が、適応的な構成方式で、半永続的な測定基準信号シーケンスの第１の有効時間をＵＥに通知することは、以下をさらに含む。
【０１３０】
基地局は、第１のパラメータセット内の少なくとも１つの要素の値をＵＥに通知するために、第４のシグナリングをＵＥに送信し、第１の有効時間の値は、第１のパラメータセット内の少なくとも１つの要素の値に基づいて決定される。
【０１３１】
任意選択で、第１のパラメータセットは、基地局によってＵＥのために使用されるサブキャリア間隔を少なくとも含む。
【０１３２】
任意選択で、基地局が、適応的な構成方式で、半永続的な測定基準信号シーケンスの第２の有効時間をＵＥに通知することは、以下を含む。
【０１３３】
基地局は、第２の有効時間の値をＵＥに通知するために、第５のシグナリングをＵＥに送信する。
【０１３４】
任意選択で、基地局が、適応的な構成方式で、半永続的な測定基準信号シーケンスの第２の有効時間をＵＥに通知することは、以下をさらに含む。
【０１３５】
基地局は、第２のパラメータセット内の少なくとも１つの要素の値をＵＥに通知するために、第６のシグナリングをＵＥに送信し、第２の有効時間の値は、第２のパラメータセット内の少なくとも１つの要素の値に基づいて決定される。
【０１３６】
任意選択で、第２のパラメータセットは、基地局によってＵＥのために使用されるサブキャリア間隔を少なくとも含む。
【０１３７】
実施形態においては、パラメータ受信方法が、ＵＥのために定義されてよく、方法は、以下のステップを含む。
【０１３８】
ＵＥは、適応的な構成方式で、基地局によってＵＥに通知される、半永続的な測定基準信号シーケンスに関する第１の有効時間を受信する。
【０１３９】
ＵＥは、適応的な構成方式で、基地局によってＵＥに通知される、半永続的な測定基準信号シーケンスに関する第２の有効時間を受信する。
【０１４０】
任意選択で、半永続的な測定基準信号シーケンスは、少なくとも２つの測定基準信号を含み、基地局は、等しい時間間隔で、少なくとも２つの測定基準信号を送信する。
【０１４１】
任意選択で、半永続的な測定基準信号シーケンスの第１の有効時間は、以下を含む。
【０１４２】
半永続的な測定基準信号シーケンスの第１の有効時間は、第１の瞬間から、基地局が半永続的な測定基準信号シーケンスにおける第１の測定基準信号を送信する時間までの時間であり、第１の瞬間は、基地局およびＵＥに知られている。
【０１４３】
任意選択で、半永続的な測定基準信号シーケンスの第２の有効時間は、第２の瞬間から、基地局が半永続的な測定基準信号シーケンスにおいて測定基準信号を送信することを停止する時間までの時間であり、第２の瞬間は、基地局およびＵＥに知られている。
【０１４４】
任意選択で、ＵＥが、適応的な構成方式で、基地局によってＵＥに通知される、半永続的な測定基準信号シーケンスに関する第１の有効時間を受信することは、以下を含む。
【０１４５】
ＵＥは、第１の有効時間の値をＵＥに通知するために基地局によって送信された第３のシグナリングを受信する。
【０１４６】
任意選択で、ＵＥが、適応的な構成方式で、基地局によってＵＥに通知される、半永続的な測定基準信号シーケンスに関する第１の有効時間を受信することは、
以下をさらに含む。
【０１４７】
ＵＥは、第１のパラメータセット内の少なくとも１つの要素の値をＵＥに通知するために基地局によって送信された第４のシグナリングを受信し、第１の有効時間の値は、第１のパラメータセット内の少なくとも１つの要素の値に基づいて決定される。
【０１４８】
任意選択で、第１のパラメータセットは、基地局によってＵＥのために使用されるサブキャリア間隔を少なくとも含む。
【０１４９】
任意選択で、ＵＥが、適応的な構成方式で、基地局によってＵＥに通知される、半永続的な測定基準信号シーケンスに関する第２の有効時間を受信することは、以下を含む。
【０１５０】
ＵＥは、第２の有効時間の値をＵＥに通知するために基地局によって送信された第５のシグナリングを受信する。
【０１５１】
任意選択で、ＵＥが、適応的な構成方式で、基地局によってＵＥに通知される、半永続的な測定基準信号シーケンスに関する第２の有効時間を受信することは、以下をさらに含む。
【０１５２】
ＵＥは、第２のパラメータセット内の少なくとも１つの要素の値をＵＥに通知するために基地局によって送信された第６のシグナリングを受信し、第２の有効時間の値は、第２のパラメータセット内の少なくとも１つの要素の値に基づいて決定される。
【０１５３】
任意選択で、第２のパラメータセットは、基地局によってＵＥのために使用されるサブキャリア間隔を少なくとも含む。
【０１５４】
実施形態においては、第１の情報受信方法が、基地局のためにさらに定義されてよく、方法は、以下のステップを含む。
【０１５５】
基地局は、第１のシグナリングをＵＥに送信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１５６】
基地局は、第２のシグナリングをＵＥに送信し、第２のシグナリングは、半永続的な情報シーケンスのグループにおける少なくとも１つの半永続的な情報シーケンスを報告することを停止するように、ＵＥに命令するために使用される。
【０１５７】
基地局が第２のシグナリングをＵＥに送信した後、基地局は、第１の時間窓内においてだけ、ＵＥによって報告された半永続的な情報シーケンスのグループ内の少なくとも１つの半永続的な情報シーケンスにおいて報告されなかった少なくとも１つの情報を受信する。
【０１５８】
任意選択で、半永続的な情報シーケンスは、少なくとも２つの半永続的な情報を含み、基地局は、等しい時間間隔で、ＵＥによって基地局に報告された少なくとも２つの半永続的な情報を受信する。
【０１５９】
任意選択で、第１の時間窓の値は、基地局およびＵＥに知られている。
【０１６０】
実施形態においては、第１の情報送信方法が、ＵＥのためにさらに定義されてよく、方法は、以下のステップを含む。
【０１６１】
ＵＥは、基地局によって送信された第１のシグナリングを受信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１６２】
ユーザ機器ＵＥは、基地局によって送信された第２のシグナリングを受信し、第２のシグナリングは、半永続的な情報シーケンスのグループにおける少なくとも１つの半永続的な情報シーケンスを報告することを停止するように、ＵＥに命令するために使用される。
【０１６３】
ユーザ機器ＵＥが基地局によって送信された第２のシグナリングを受信した後、ＵＥは、第１の時間窓内においてだけ、半永続的な情報シーケンスのグループ内の少なくとも１つの半永続的な情報シーケンスにおいて報告されなかった少なくとも１つの情報を基地局に報告する。
【０１６４】
任意選択で、半永続的な情報シーケンスは、少なくとも２つの半永続的な情報を含み、ＵＥは、等しい時間間隔で、少なくとも２つの半永続的な情報を基地局に報告する。
【０１６５】
任意選択で、第１の時間窓の値は、基地局およびＵＥに知られている。
【０１６６】
実施形態においては、第２の情報受信方法が、基地局のためにさらに定義されてよく、方法は、以下のステップを含む。
【０１６７】
基地局は、第１のシグナリングをＵＥに送信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１６８】
基地局は、第２のシグナリングをＵＥに送信し、第２のシグナリングは、半永続的な情報シーケンスのグループにおける少なくとも１つの半永続的な情報シーケンスを報告することを停止するように、ＵＥに命令するために使用される。
【０１６９】
基地局が第２のシグナリングをＵＥに送信した後、基地局は、基地局が第２のシグナリングをＵＥに送信した瞬間に最も近い時間において、ＵＥによって報告された第１の情報だけを受信し、第１の情報は、半永続的な情報シーケンスのグループ内の少なくとも１つの半永続的な情報シーケンスにおいてＵＥによって報告されなかった情報である。
【０１７０】
任意選択で、半永続的な情報シーケンスは、少なくとも２つの半永続的な情報を含み、基地局は、等しい時間間隔で、ＵＥによって基地局に報告された少なくとも２つの半永続的な情報を受信する。
【０１７１】
実施形態においては、第２の情報送信方法が、ＵＥのためにさらに定義されてよく、方法は、以下のステップを含む。
【０１７２】
ＵＥは、基地局によってＵＥに送信された第１のシグナリングを受信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１７３】
ＵＥは、基地局によってＵＥに送信された第２のシグナリングを受信し、第２のシグナリングは、半永続的な情報シーケンスのグループにおける少なくとも１つの半永続的な情報シーケンスを報告することを停止するように、ＵＥに命令するために使用される。
【０１７４】
ＵＥが基地局によってＵＥに送信された第２のシグナリングを受信した後、ＵＥは、基地局が第２のシグナリングをＵＥに送信した瞬間に最も近い時間において、ＵＥによって報告される第１の情報だけを報告し、第１の情報は、半永続的な情報シーケンスのグループ内の少なくとも１つの半永続的な情報シーケンスにおいてＵＥによって報告されなかった情報である。
【０１７５】
任意選択で、半永続的な情報シーケンスは、少なくとも２つの半永続的な情報を含み、ＵＥは、等しい時間間隔で、少なくとも２つの半永続的な情報を基地局に報告する。
【０１７６】
実施形態においては、第３の情報送信方法が、基地局のためにさらに定義されてよく、方法は、以下のステップを含む。
【０１７７】
基地局は、第１のシグナリングをＵＥに送信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１７８】
基地局は、第２のシグナリングをＵＥに送信し、第２のシグナリングは、半永続的な情報シーケンスのグループにおける少なくとも１つの半永続的な情報シーケンスを報告することを停止するように、ＵＥに命令するために使用される。
【０１７９】
基地局が第２のシグナリングをＵＥに送信した後、基地局は、ＵＥによって報告された第１の情報だけを受信し、第１の情報は、半永続的な情報シーケンスのグループにおける少なくとも１つの半永続的な情報シーケンスのうちにあり、またＵＥによって報告されていない情報のうちにある、最もプライオリティが高い情報である。
【０１８０】
任意選択で、半永続的な情報シーケンスは、少なくとも２つの半永続的な情報を含み、基地局は、等しい時間間隔で、ＵＥによって基地局に報告された少なくとも２つの半永続的な情報を受信する。
【０１８１】
任意選択で、プライオリティは、基地局およびＵＥに知られている。
【０１８２】
実施形態においては、第３の情報送信方法が、ＵＥのためにさらに定義されてよく、方法は、以下のステップを含む。
【０１８３】
ＵＥは、基地局によってＵＥに送信された第１のシグナリングを受信し、第１のシグナリングは、半永続的な情報シーケンスのグループを報告するように、ＵＥに命令するために使用され、半永続的な情報シーケンスのグループは、少なくとも１つの半永続的な情報シーケンスを含む。
【０１８４】
ＵＥは、基地局によってＵＥに送信された第２のシグナリングを受信し、第２のシグナリングは、半永続的な情報シーケンスのグループにおける少なくとも１つの半永続的な情報シーケンスを報告することを停止するように、ＵＥに命令するために使用される。
【０１８５】
ＵＥが基地局によってＵＥに送信された第２のシグナリングを受信した後、ＵＥは、第１の情報だけを基地局に報告し、第１の情報は、半永続的な情報シーケンスのグループにおける少なくとも１つの半永続的な情報シーケンスのうちにあり、またＵＥによって報告されていない情報のうちにある、最もプライオリティが高い情報である。
【０１８６】
任意選択で、半永続的な情報シーケンスは、少なくとも２つの半永続的な情報を含み、基地局は、等しい時間間隔で、ＵＥによって基地局に報告された少なくとも２つの半永続的な情報を受信し、ＵＥは、等しい時間間隔で、少なくとも２つの半永続的な情報を基地局に報告する。
【０１８７】
任意選択で、プライオリティは、基地局およびＵＥに知られている。
【０１８８】
図５は、本発明の実施形態に従った、基地局装置の構造図である。図５を参照すると、基地局装置５００は、図１および図３の実施形態における機能を実装するために、決定ユニット５０１と、送信ユニット５０２とを含む。例えば、決定ユニット５０１は、測定基準信号と、第１の制御情報と、第２の制御情報とを決定するように構成される。送信ユニット５０２は、第１の制御情報をユーザ機器ＵＥに送信するように構成され、第１の制御情報は、キャリア上におけるＵＥの測定基準信号を示すために使用され、第１の制御情報は、少なくとも１つの第１の測定構成セットを含み、少なくとも１つの第１の測定構成セットに基づいて、測定基準信号を測定するように、ＵＥに命令するために使用される。送信ユニット５０２は、測定基準信号をＵＥに送信するようにさらに構成される。送信ユニット５０２は、第２の制御情報をＵＥに送信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なる。基地局装置は、ＵＥによって送信された測定結果を受信するように構成された受信ユニット５０３をさらに含んでよい。
【０１８９】
図６は、本発明の実施形態に従った、ユーザ機器の構造図である。図６を参照すると、ユーザ機器６００は、図１および図４の実施形態における機能を実装するために、受信ユニット６０１と、決定ユニット６０２とを含む。例えば、受信ユニット６０１は、基地局によって送信された第１の制御情報を受信するように構成され、第１の制御情報は、キャリア上におけるＵＥの測定基準信号を示すために使用され、第１の制御情報は、少なくとも１つの第１の測定構成セットを含む。決定ユニット６０２は、少なくとも１つの第１の測定構成セットに基づいて、測定基準信号を測定するように構成される。受信ユニット６０１は、基地局によって送信された測定基準信号を受信するようにさらに構成される。受信ユニット６０１は、基地局によって送信された第２の制御情報を受信するようにさらに構成され、第２の制御情報は、少なくとも１つの第２の測定構成セットを含み、少なくとも１つの第２の測定構成セットおよび測定基準信号に基づいた測定結果を報告するように、ＵＥに命令するために使用され、少なくとも１つの第２の測定構成セットは、第１の測定構成セットとは異なり、第１の制御情報および第２の制御情報のうち第２の制御情報だけが、アップリンクリソース割り当て情報を含み、アップリンクリソース割り当て情報は、ＵＥが測定結果を報告するチャネルリソースを示すために使用される。ユーザ機器は、測定結果を送信するように構成された送信ユニット６０３をさらに含んでよい。
【０１９０】
ユニットは、互いに組み合わせされてよく、または適切な範囲内で置き換えられてよく、もしくは分割されてよいことが理解されるべきである。本発明の実施形態におけるユニット分割は、例であり、論理機能分割であるにすぎない。実際の実装中に、別の分割方式があってよい。本発明の実施形態における機能ユニットは、１つの処理ユニットに統合されてよく、またはユニットの各々は、物理的に単独で存在してよく、または２つ以上のユニットが、１つのユニットに統合される。例えば、受信ユニットと送信ユニットは、送受信ユニットであってよい。
【０１９１】
図７は、本発明の実施形態に従った、基地局装置の構造図である。図７を参照すると、基地局装置７００は、図１、図３、および図５の実施形態における機能を実装するために、プロセッサ７０１と、送信機７０２とを含む。基地局装置は、測定結果を受信し、図５の受信ユニット５０３の機能を実装するように構成された、受信機７０３をさらに含んでよい。受信機７０３と送信機７０２は、さらに、片方向、二重、および半二重送受信機であってよい。プロセッサ７０１は、データを記憶し、プロセッサ７０１のプログラムを開始するように構成された、メモリ（図示されず）をさらに含んでよい。プロセッサ７０１は、さらに、構成された機能を実装するために、メモリと協力してよい。メモリは、ソフトウェアを使用することによって、図１、図３、および図５の実施形態における機能を実装するための、コンピュータプログラムをさらに含んでよい。
【０１９２】
図８は、本発明の実施形態に従った、ユーザ機器の構造図である。図８を参照すると、ユーザ機器８００は、図２、図４、および図６の実施形態における機能を実装するために、プロセッサ８０１と、受信機８０２とを含む。ユーザ機器は、測定結果を送信し、図６の送信ユニット６０３の機能を実装するように構成された、送信機８０３をさらに含んでよい。受信機８０２と送信機８０３は、さらに、片方向、二重、および半二重送受信機であってよい。プロセッサ８０１は、データを記憶し、プロセッサ８０１のプログラムを開始するように構成された、メモリ（図示されず）をさらに含んでよい。プロセッサ８０１は、さらに、構成された機能を実装するために、メモリと協力してよい。メモリは、ソフトウェアを使用することによって、図２、図４、および図６の実施形態における機能を実装するための、コンピュータプログラムをさらに含んでよい。
【０１９３】
図７および図８に示される実施形態においては、プロセッサは、中央処理ユニット（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理デバイス、トランジスタ論理デバイス、ハードウェアコンポーネント、またはそれらの任意の組み合わせであってよい。本発明において開示された内容を参照して説明される方法またはアルゴリズムは、ハードウェアによって実装されてよく、またはソフトウェア命令を実行することによって、プロセッサによって実装されてよい。ソフトウェア命令は、対応するソフトウェアモジュールを含んでよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ  Ｏｎｌｙ  Ｍｅｍｏｒｙ、ＲＯＭ）、消去可能プログラマブルリードオンリメモリ（Ｅｒａｓａｂｌｅ  Ｐｒｏｇｒａｍｍａｂｌｅ  ＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスクリードオンリメモリ（ＣＤ−ＲＯＭ）、または当技術分野においてよく知られた記憶媒体の他の任意の形態内に記憶されてよい。例えば、記憶媒体は、プロセッサが、記憶媒体から情報を読み取り、または記憶媒体に情報を書き込むことができるように、プロセッサに結合される。もちろん、記憶媒体は、プロセッサの構成要素であってよい。プロセッサと記憶媒体は、ＡＳＩＣ内に配置されてよい。
【０１９４】
上述の１つまたは複数の例においては、本発明において説明される機能は、ハードウェア、ソフトウェア、ファームウェア、またはそれらの任意の組み合わせによって実装されてよいことに、当業者は気付くべきである。本発明がソフトウェアによって実装されるとき、上述の機能は、コンピュータ可読媒体内に記憶されてよく、またはコンピュータ可読媒体内の１つもしくは複数の命令もしくはコードとして送信されてよい。コンピュータ可読媒体は、コンピュータ記憶媒体と、通信媒体とを含み、通信媒体は、コンピュータプログラムが１つの場所から別の場所に送信されることを可能にする任意の媒体を含む。記憶媒体は、汎用または専用コンピュータからアクセス可能な任意の利用可能な媒体であってよい。
【０１９５】
本発明の目的、技術的ソリューション、および利益は、さらに、上述の特定の実施形態において詳細に説明される。上述の説明は、本発明の特定の実施形態にすぎず、本発明の保護範囲を限定することを意図されていないことが理解されるべきである。本発明の原理内において行われるいずれの変更、等価な置換、または改善も、本発明の保護範囲内に包含されるものとする。
【０１９６】
上述の説明は、本発明の特定の実装にすぎず、本発明の保護範囲を限定することを意図されていない。本発明において開示された技術的範囲内において当業者によって容易に考え出されるいずれの変形または置換も、本発明の保護範囲内に包含されるものとする。したがって、本発明の保護範囲は、特許請求の範囲の保護範囲に従うものとする。
【国際調査報告】
2019537893.tif 000011
2019537893.tif 000012
2019537893.tif 000013
2019537893.tif 000014
2019537893.tif 000015